(57)【要約】【課題】蓄電池にグリーン電力が充電されたことを証明するための技術を提供する。【解決手段】再生可能エネルギーを利用して発電する発電装置の発電状況を示す発電情報を取得し、管理するユーザ端末装置２００であって、自装置の管理対象の発電装置に関する発電情報を取得する発電情報取得部２０１と、他のユーザ端末装置２００から、他のユーザ端末装置２００の管理対象の発電装置に関する発電情報を受信する発電情報受信部２０２と、発電情報取得部２０１が取得した発電情報と、発電情報受信部２０２が受信した発電情報との類似度を算出する類似度算出部２０３と、類似度を管理サーバ１００に送信する送信部２０５と、を有するユーザ端末装置。【選択図】図８
2017153183.tif 000002
【特許請求の範囲】
【請求項１】
再生可能エネルギーを利用して発電する発電装置の発電状況を示す発電情報を取得し、管理するユーザ端末装置であって、
自装置の管理対象の前記発電装置に関する前記発電情報を取得する発電情報取得手段と、
他の前記ユーザ端末装置から、前記他のユーザ端末装置の管理対象の前記発電装置に関する前記発電情報を受信する発電情報受信手段と、
前記発電情報取得手段が取得した前記発電情報と、前記発電情報受信手段が受信した前記発電情報との類似度を算出する類似度算出手段と、
を有するユーザ端末装置。
【請求項２】
請求項１に記載のユーザ端末装置において、
前記他のユーザ端末装置から、前記他のユーザ端末装置の管理対象の蓄電池の充電状況を示す充電情報を受信する充電情報受信手段をさらに有し、
前記類似度算出手段は、前記発電情報受信手段が受信した前記発電情報と、前記充電情報受信手段が受信した前記充電情報との類似度を算出するユーザ端末装置。
【請求項３】
請求項１又は２に記載のユーザ端末装置において、
前記類似度算出手段が算出した類似度を、前記発電装置が発電した電力が前記蓄電池に充電されたことを認証する管理サーバに送信する送信手段をさらに有するユーザ端末装置。
【請求項４】
請求項１から３のいずれか１項に記載のユーザ端末装置において、
前記発電情報受信手段が受信した前記発電情報に基づき、自装置の管理対象の前記発電装置による将来の発電状況を予測し、予測結果に基づき、自装置の管理対象の蓄電池の充放電を制御する蓄電池制御手段をさらに有するユーザ端末装置。
【請求項５】
再生可能エネルギーを利用して発電する発電装置の発電状況を示す発電情報を取得し、管理するユーザ端末装置であって、
前記発電装置の発電電力が蓄電池に充電されたことを認証する管理サーバから、前記発電情報を送信する送信先となる他の前記ユーザ端末装置に関する送信先情報を受信する送信先情報受信手段と、
自装置の管理対象の前記発電装置に関する前記発電情報を取得する発電情報取得手段と、
前記発電情報取得手段が取得した前記発電情報を、前記送信先情報で特定される前記他のユーザ端末装置に送信する送信手段と、
を有するユーザ端末装置。
【請求項６】
請求項５に記載のユーザ端末装置において、
前記送信先情報受信手段は、前記送信先となる複数の前記他のユーザ端末装置に関する前記送信先情報を受信し、
複数の前記他のユーザ端末装置の中から１つ又は複数を選択する選択手段をさらに有し、
前記送信手段は、前記選択手段が選択した前記送信先に前記発電情報を送信するユーザ端末装置。
【請求項７】
請求項５に記載のユーザ端末装置において、
前記送信先情報受信手段は、前記送信先となる複数の前記他のユーザ端末装置に関する前記送信先情報を受信し、
前記送信手段は、複数の前記送信先に前記発電情報を送信するユーザ端末装置。
【請求項８】
請求項５から７のいずれか１項に記載のユーザ端末装置において、
自装置の管理対象の蓄電池の充電状況を示す充電情報を取得する充電情報取得手段をさらに有し、
前記送信手段は、前記充電情報取得手段が取得した前記充電情報を、前記送信先情報で特定される前記他のユーザ端末装置に送信するユーザ端末装置。
【請求項９】
請求項８に記載のユーザ端末装置において、
前記充電情報は、充電状況の時間変化を示し、
前記充電情報取得手段が取得した前記充電情報の中の、認証対象の時間帯を除く部分にデータ内容を改変する改変処理を施す改変手段をさらに有し、
前記送信手段は、前記改変処理が施された前記充電情報を送信するユーザ端末装置。
【請求項１０】
再生可能エネルギーを利用して発電する発電装置の発電電力が、蓄電池に充電されたことを認証する管理サーバであって、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段と、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段と、
を有する管理サーバ。
【請求項１１】
請求項１０に記載の管理サーバにおいて、
前記認証手段は、前記第１のユーザ端末装置から受信した類似度に基づき、前記第１のユーザ端末装置の管理対象の前記発電装置の発電電力が、前記第１のユーザ端末装置の管理対象の前記蓄電池に充電されたことをさらに認証する管理サーバ。
【請求項１２】
請求項１０に記載の管理サーバにおいて、
前記類似度受信手段は、前記第１のユーザ端末装置から、前記第２のユーザ端末装置の管理対象の前記発電装置の発電状況を示す前記発電情報と、前記第２のユーザ端末装置の管理対象の蓄電池の充電状況を示す充電情報との類似度をさらに受信する管理サーバ。
【請求項１３】
請求項１０から１２のいずれか１項に記載の管理サーバにおいて、
前記ユーザ端末装置毎に、前記発電情報の送信先となる他の前記ユーザ端末装置を選択する送信先選択手段と、
複数の前記ユーザ端末装置各々から前記発電情報を受信すると、前記ユーザ端末装置各々に対応して送信先として選択された他の前記ユーザ端末装置に送信する中継手段をさらに有する管理サーバ。
【請求項１４】
請求項１０から１２のいずれか１項に記載の管理サーバにおいて、
前記ユーザ端末装置毎に、前記発電情報の送信先となる他の前記ユーザ端末装置を選択する送信先選択手段と、
複数の前記ユーザ端末装置各々に、前記送信先として選択された前記ユーザ端末装置を示す送信先情報を送信する送信先情報送信手段と、
をさらに有する管理サーバ。
【請求項１５】
請求項１４に記載の管理サーバにおいて、
前記送信先選択手段は、前記ユーザ端末装置毎に、複数の他の前記ユーザ端末装置を前記送信先として選択し、
前記送信先情報送信手段は、前記送信先として選択された複数の前記ユーザ端末装置を示す前記送信先情報を送信する管理サーバ。
【請求項１６】
請求項１３から１５のいずれか１項に記載の管理サーバにおいて、
前記送信先選択手段は、前記ユーザ端末装置各々の前記送信先を定期的に変更する管理サーバ。
【請求項１７】
請求項１３から１５のいずれか１項に記載の管理サーバにおいて、
前記送信先選択手段は、複数の前記ユーザ端末装置各々の設置位置に基づき、前記ユーザ端末装置各々の前記送信先を選択する管理サーバ。
【請求項１８】
請求項１３から１７のいずれか１項に記載の管理サーバにおいて、
前記類似度受信手段が類似度を受信すると、それに応じて、当該類似度を送信してきた前記第１のユーザ端末装置に所定のインセンティブを付与するインセンティブ付与手段をさらに有する管理サーバ。
【請求項１９】
請求項１から４のいずれか１項に記載のユーザ端末装置と、
請求項５から９のいずれか１項に記載のユーザ端末装置と、
請求項１０から１８のいずれか１項に記載の管理サーバと、
を有する管理システム。
【請求項２０】
再生可能エネルギーを利用して発電する発電装置の発電状況を示す発電情報を取得し、管理するユーザ端末装置が、
自装置の管理対象の前記発電装置に関する前記発電情報を取得する発電情報取得工程と、
他の前記ユーザ端末装置から、前記他のユーザ端末装置の管理対象の前記発電装置に関する前記発電情報を受信する発電情報受信工程と、
前記発電情報取得工程で取得した前記発電情報と、前記発電情報受信工程で受信した前記発電情報との類似度を算出する類似度算出工程と、
を実行するユーザ端末装置の動作方法。
【請求項２１】
再生可能エネルギーを利用して発電する発電装置の発電状況を示す発電情報を取得し、管理するユーザ端末装置を、
自装置の管理対象の前記発電装置に関する前記発電情報を取得する発電情報取得手段、
他の前記ユーザ端末装置から、前記他のユーザ端末装置の管理対象の前記発電装置に関する前記発電情報を受信する発電情報受信手段、
前記発電情報取得手段が取得した前記発電情報と、前記発電情報受信手段が受信した前記発電情報との類似度を算出する類似度算出手段、
として機能させるプログラム。
【請求項２２】
再生可能エネルギーを利用して発電する発電装置の発電状況を示す発電情報を取得し、管理するユーザ端末装置が、
前記発電装置の発電電力が蓄電池に充電されたことを認証する管理サーバから、前記発電情報を送信する送信先となる他の前記ユーザ端末装置に関する送信先情報を受信する送信先情報受信工程と、
自装置の管理対象の前記発電装置に関する前記発電情報を取得する発電情報取得工程と、
前記発電情報取得工程で取得した前記発電情報を、前記送信先情報で特定される前記他のユーザ端末装置に送信する送信工程と、
を実行するユーザ端末装置の動作方法。
【請求項２３】
再生可能エネルギーを利用して発電する発電装置の発電状況を示す発電情報を取得し、管理するユーザ端末装置を、
前記発電装置の発電電力が蓄電池に充電されたことを認証する管理サーバから、前記発電情報を送信する送信先となる他の前記ユーザ端末装置に関する送信先情報を受信する送信先情報受信手段、
自装置の管理対象の前記発電装置に関する前記発電情報を取得する発電情報取得手段、
前記発電情報取得手段が取得した前記発電情報を、前記送信先情報で特定される前記他のユーザ端末装置に送信する送信手段、
として機能させるプログラム。
【請求項２４】
再生可能エネルギーを利用して発電する発電装置の発電電力が、蓄電池に充電されたことを認証する管理サーバが、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信工程と、
前記類似度受信工程で受信した前記類似度に基づき、前記第２のユーザ端末装置の管理対象の前記発電装置の発電電力が、前記第２のユーザ端末装置の管理対象の前記蓄電池に充電されたことを認証する認証工程と、
を実行する管理サーバの動作方法。
【請求項２５】
再生可能エネルギーを利用して発電する発電装置の発電電力が、蓄電池に充電されたことを認証する管理サーバを、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段、
として機能させるプログラム。
【発明の詳細な説明】
【技術分野】
【０００１】
本発明は、ユーザ端末装置、管理サーバ、管理システム、ユーザ端末装置の動作方法、管理サーバの動作方法、及び、プログラムに関する。
【背景技術】
【０００２】
近年、多数の発電事業者（個人、企業等）により、再生可能エネルギーを利用した電力（グリーン電力）の発電、及び、電力供給事業者への当該グリーン電力の売電がなされている。
【０００３】
関連する技術が、特許文献１及び２に開示されている。特許文献１に記載の電力取引サーバは、電力取引時に、取引される電力が再生可能エネルギーにより発電されたグリーン電力であることを証明するグリーン証明書を取得し、当該グリーン証明書が取得された場合、当該電力をグリーン電力として扱い取引することが開示されている。
【０００４】
特許文献２には、複数のクライアント装置とサーバ装置とを有するエネルギー管理システムが開示されている。サーバ装置は、配電網から電力を供給される電気機器に関わるデータをクライアント装置から取得する取得部と、データに基づいて電気機器のエネルギー需要量を予測する予測部と、予測されたエネルギー需要量に基づいて、出に機器に関わるエネルギーを最適化すべく電気機器の動作を計算する計算部と、計算された動作に基づいて、電気機器を制御するための制御情報をクライアント装置に送信する制御部とを備える。
【先行技術文献】
【特許文献】
【０００５】
【特許文献１】特許第５４８８０４７号
【特許文献２】特開２０１３−２２２２９３号公報
【発明の概要】
【発明が解決しようとする課題】
【０００６】
本発明者らは、発電事業者と電力供給事業者との間の電力取引を検討した結果、以下のような新たな課題を見出した。
【０００７】
まず、発電事業者によるグリーン電力の発電をさらに活性化するため、グリーン電力を蓄電池に充電した後に、電力供給事業者に売電する取引形態が認められる可能性があると考えた。しかし、蓄電池には、発電事業者が発電したグリーン電力のみならず、電力供給事業者から購入した電力も充電され得る。蓄電池に充電されている電力の売電を行う場合、蓄電池にグリーン電力が充電されたことを証明する仕組みが必要になる。
【０００８】
特許文献１に記載の技術の場合、グリーン証明書を用いて、売電対象の電力がグリーン電力であることを証明できる。しかし、グリーン証明書を発行する具体的な手段は開示されていない。
【０００９】
本発明は、蓄電池にグリーン電力が充電されたことを証明するための技術を提供することを課題とする。
【課題を解決するための手段】
【００１０】
本発明によれば、
再生可能エネルギーを利用して発電する発電装置の発電状況を示す発電情報を取得し、管理するユーザ端末装置であって、
自装置の管理対象の前記発電装置に関する前記発電情報を取得する発電情報取得手段と、
他の前記ユーザ端末装置から、前記他のユーザ端末装置の管理対象の前記発電装置に関する前記発電情報を受信する発電情報受信手段と、
前記発電情報取得手段が取得した前記発電情報と、前記発電情報受信手段が受信した前記発電情報との類似度を算出する類似度算出手段と、
を有するユーザ端末装置が提供される。
【００１１】
また、本発明によれば、
再生可能エネルギーを利用して発電する発電装置の発電状況を示す発電情報を取得し、管理するユーザ端末装置であって、
前記発電装置の発電電力が蓄電池に充電されたことを認証する管理サーバから、前記発電情報を送信する送信先となる他の前記ユーザ端末装置に関する送信先情報を受信する送信先情報受信手段と、
自装置の管理対象の前記発電装置に関する前記発電情報を取得する発電情報取得手段と、
前記発電情報取得手段が取得した前記発電情報を、前記送信先情報で特定される前記他のユーザ端末装置に送信する送信手段と、
を有するユーザ端末装置が提供される。
【００１２】
また、本発明によれば、
再生可能エネルギーを利用して発電する発電装置の発電電力が、蓄電池に充電されたことを認証する管理サーバであって、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段と、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段と、
を有する管理サーバが提供される。
【００１３】
また、本発明によれば、上記２つのユーザ端末装置と、上記管理サーバと、を有する管理システムが提供される。
【００１４】
また、本発明によれば、
再生可能エネルギーを利用して発電する発電装置の発電状況を示す発電情報を取得し、管理するユーザ端末装置が、
自装置の管理対象の前記発電装置に関する前記発電情報を取得する発電情報取得工程と、
他の前記ユーザ端末装置から、前記他のユーザ端末装置の管理対象の前記発電装置に関する前記発電情報を受信する発電情報受信工程と、
前記発電情報取得工程で取得した前記発電情報と、前記発電情報受信工程で受信した前記発電情報との類似度を算出する類似度算出工程と、
を実行するユーザ端末装置の動作方法が提供される。
【００１５】
また、本発明によれば、
再生可能エネルギーを利用して発電する発電装置の発電状況を示す発電情報を取得し、管理するユーザ端末装置を、
自装置の管理対象の前記発電装置に関する前記発電情報を取得する発電情報取得手段、
他の前記ユーザ端末装置から、前記他のユーザ端末装置の管理対象の前記発電装置に関する前記発電情報を受信する発電情報受信手段、
前記発電情報取得手段が取得した前記発電情報と、前記発電情報受信手段が受信した前記発電情報との類似度を算出する類似度算出手段、
として機能させるプログラムが提供される。
【００１６】
また、本発明によれば、
再生可能エネルギーを利用して発電する発電装置の発電状況を示す発電情報を取得し、管理するユーザ端末装置が、
前記発電装置の発電電力が蓄電池に充電されたことを認証する管理サーバから、前記発電情報を送信する送信先となる他の前記ユーザ端末装置に関する送信先情報を受信する送信先情報受信工程と、
自装置の管理対象の前記発電装置に関する前記発電情報を取得する発電情報取得工程と、
前記発電情報取得工程で取得した前記発電情報を、前記送信先情報で特定される前記他のユーザ端末装置に送信する送信工程と、
を実行するユーザ端末装置の動作方法が提供される。
【００１７】
また、本発明によれば、
再生可能エネルギーを利用して発電する発電装置の発電状況を示す発電情報を取得し、管理するユーザ端末装置を、
前記発電装置の発電電力が蓄電池に充電されたことを認証する管理サーバから、前記発電情報を送信する送信先となる他の前記ユーザ端末装置に関する送信先情報を受信する送信先情報受信手段、
自装置の管理対象の前記発電装置に関する前記発電情報を取得する発電情報取得手段、
前記発電情報取得手段が取得した前記発電情報を、前記送信先情報で特定される前記他のユーザ端末装置に送信する送信手段、
として機能させるプログラムが提供される。
【００１８】
また、本発明によれば、
再生可能エネルギーを利用して発電する発電装置の発電電力が、蓄電池に充電されたことを認証する管理サーバが、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信工程と、
前記類似度受信工程で受信した前記類似度に基づき、前記第２のユーザ端末装置の管理対象の前記発電装置の発電電力が、前記第２のユーザ端末装置の管理対象の前記蓄電池に充電されたことを認証する認証工程と、
を実行する管理サーバの動作方法が提供される。
【００１９】
また、本発明によれば、
再生可能エネルギーを利用して発電する発電装置の発電電力が、蓄電池に充電されたことを認証する管理サーバを、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段、
として機能させるプログラムが提供される。
【発明の効果】
【００２０】
本発明によれば、蓄電池にグリーン電力が充電されたことを証明するための技術が実現される。
【図面の簡単な説明】
【００２１】
【図１】本実施形態の装置のハードウエア構成の一例を概念的に示す図である。
【図２】本実施形態のシステムの全体像及び概要の一例を説明するための図である。
【図３】本実施形態の発電情報の一例を模式的に示す図である。
【図４】本実施形態の発電情報の一例を模式的に示す図である。
【図５】本実施形態の充電情報の一例を模式的に示す図である。
【図６】本実施形態の充電情報の一例を模式的に示す図である。
【図７】本実施形態のユーザ端末装置の機能ブロック図の一例である。
【図８】本実施形態のユーザ端末装置の機能ブロック図の一例である。
【図９】対象発電情報と参照発電情報との間の遅れ時間を説明するための図である。
【図１０】本実施形態の管理サーバの機能ブロック図の一例である。
【図１１】本実施形態の管理サーバに登録される登録情報の一例を模式的に示す図である。
【図１２】本実施形態の管理サーバで管理される管理情報の一例を模式的に示す図である。
【図１３】本実施形態の管理サーバから提供される画面の一例を模式的に示す図である。
【図１４】本実施形態のユーザ端末装置の処理の流れの一例を示すフローチャートである。
【図１５】本実施形態の管理サーバの処理の流れの一例を示すフローチャートである。
【図１６】本実施形態の管理サーバの機能ブロック図の一例である。
【図１７】本実施形態の管理サーバで生成される対応情報の一例を模式的に示す図である。
【図１８】本実施形態のユーザ端末装置の機能ブロック図の一例である。
【図１９】本実施形態の管理サーバで生成される対応情報の一例を模式的に示す図である。
【図２０】本実施形態のユーザ端末装置の機能ブロック図の一例である。
【図２１】本実施形態のユーザ端末装置の機能ブロック図の一例である。
【図２２】本実施形態の管理サーバの機能ブロック図の一例である。
【図２３】本実施形態の管理サーバの中継部の機能ブロック図の一例である。
【図２４】本実施形態の管理サーバの機能ブロック図の一例である。
【図２５】本実施形態のユーザ端末装置の機能ブロック図の一例である。
【発明を実施するための形態】
【００２２】
まず、本実施形態の装置（ユーザ端末装置、管理サーバ）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２３】
図１は、本実施形態の装置（ユーザ端末装置、管理サーバ）のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路には、様々なモジュールが含まれる。
【００２４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、外部装置、外部サーバ、外部センサー等から情報を取得するためのインターフェイスなどを含む。プロセッサ１Ａは、各モジュールに指令を出し、それらの演算結果をもとに演算を行う。
【００２５】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２６】
＜＜第１の実施形態＞＞
まず、図２を用いて、本実施形態の全体像及び概要の一例を説明する。図示するように、各発電事業者は、発電装置１、蓄電池２、分電盤３、測定装置４、情報収集装置５、センサー７、通信線網及び電力線網を有する。図中、実線で通信線を示し、点線で電力線を示している。装置間の通信は、有線及び／又は無線で行うことができ、通信規格は設計的事項である。図中、測定装置４及び情報収集装置５を分けて記載し、これらが論理的に分かれていることを示しているが、これらは物理的に一体となっていてもよいし、分かれていてもよい。
【００２７】
発電装置１は、再生可能エネルギー（例：太陽光、風力、地熱等）を利用して発電を行う。発電装置１の構成は、従来技術に準じて実現される。
【００２８】
発電装置１が発電した電力は、分電盤３を介して系統及び蓄電池２に供給される。系統は、電力供給事業者が管理する電力供給のためのシステムである。図示しないが、発電装置１が発電したグリーン電力は、分電盤３を介さず、蓄電池２に供給されてもよい。また、図示していないが、各発電事業者の電力網内に、その他の機器が存在してもよい。例えば、発電装置１から出力された電力は、パワーコンディショナー（不図示）等の機器を経由して、分電盤３や蓄電池２に入力されてもよい。
【００２９】
蓄電池２は、発電装置１から供給された電力、及び、系統から供給された電力を受電し、充電することができる。そして、蓄電池２は、電力供給事業者への売電のため、充電した電力を系統に供給することができる。また、蓄電池２は、充電した電力を負荷（不図示）に供給することができる。蓄電池２の構成は、従来技術に準じて実現できる。
【００３０】
測定装置４は、予め設定された管理対象の発電装置１の発電状況を示す発電情報を取得する。例えば、発電事業者Ａの測定装置４には、管理対象として、発電事業者Ａの発電装置１が設定される。発電情報は、例えば、所定の単位時間（設計的事項）毎の発電電力量（Ｗｈ）の時系列データ（図３参照）であってもよいし、所定の時間（設計的事項）おきの発電電力（Ｗ）の時系列データ（図４参照）であってもよい。
【００３１】
また、測定装置４は、予め設定された管理対象の蓄電池２の充電状況を示す充電情報を取得する。例えば、発電事業者Ａの測定装置４には、管理対象として、発電事業者Ａの蓄電池２が設定される。充電情報は、例えば、所定の単位時間（設計的事項）毎の充電電力量（Ｗｈ）の変化量の時系列データ（図５参照）であってもよいし、所定の時間（設計的事項）おきの充電電力（Ｗ）の時系列データ（図６参照）であってもよい。充電電力量（Ｗｈ）は、蓄電池２にその時点で充電されている電力量を示す。
【００３２】
測定装置４が、管理対象の発電装置１の発電情報、及び、管理対象の蓄電池２の充電情報を取得する手段は特段制限されず、従来技術に準じたあらゆる手段を採用できる。
【００３３】
例えば、電力線上の任意の位置に電流センサー及び電圧センサーを設置し、その位置の電流（Ａ）及び電圧（Ｖ）を所定の測定タイミング（例：ｔ秒毎）で測定してもよい。そして、測定装置４は、当該センサーから取得した測定データに対して演算処理などを行い、発電情報及び充電情報を取得してもよい。
【００３４】
例えば、図２に示すように、発電装置１付近の所定の位置にセンサー７を設置してもよい。そして、測定装置４は、当該センサー７から測定データを取得してもよい。その他、図２において示していないが、蓄電池２付近の所定の位置にセンサーを設置してもよい。そして、測定装置４は、当該センサーから測定データを取得してもよい。
【００３５】
その他、発電装置１内及び蓄電池２内にセンサーを設けてもよい。発電装置１及び蓄電池２は、当該センサーを用いて、発電電力及び充電電力を測定するよう構成されてもよい。そして、測定装置４は、発電装置１及び蓄電池２から発電情報及び充電情報を取得してもよい。
【００３６】
図２の例では、測定装置４及び蓄電池２間が通信線でつながっており、蓄電池２は、自装置で測定した充電情報を測定装置４に送信するよう構成されている。なお、図２において示していないが、測定装置４及び発電装置１間も通信線でつながり、発電装置１は、自装置で測定した発電情報を測定装置４に送信するよう構成してもよい。
【００３７】
情報収集装置５は、予め設定された管理対象の発電装置１の発電状況を示す発電情報を取得し、発電状況を管理する。また、情報収集装置５は、予め設定された管理対象の蓄電池２の充電状況を示す充電情報を取得し、充電状況を管理する。例えば、発電事業者Ａの情報収集装置５には、管理対象として、発電事業者Ａの発電装置１及び蓄電池２が設定される。情報収集装置５は、測定装置４から、管理対象の発電装置１の発電情報、及び、管理対象の蓄電池２の充電情報を取得することができる。
【００３８】
そして、情報収集装置５は、管理対象の発電装置１の発電情報、及び、管理対象の蓄電池２の充電情報をインターネット等のネットワーク６を介して外部装置に送信したり、所定の演算処理を行ったり、ディスプレイを介して発電状況及び充電状況を示す情報を出力したりする。
【００３９】
管理サーバ１００は、発電装置１で発電された電力が蓄電池２に充電されたことを認証する機能を有する。
【００４０】
管理サーバ１００は、各発電事業者の発電装置１の発電状況と蓄電池２の充電状況との整合性（矛盾していないこと）が確認され、かつ、各発電事業者の発電装置１の発電状況と参照発電装置の発電状況（例：近隣の発電事業者の発電装置１の発電状況）との整合性が確認された場合、発電装置１で発電された電力が蓄電池２に充電されたことを認証する。
【００４１】
詳細は後述するが、整合性は発電情報及び充電情報間の類似度、及び、発電情報間の類似度に基づいて確認する。例えば、発電事業者Ａの発電装置１で発電された電力が発電事業者Ａの蓄電池２に充電されたことの認証は、発電事業者Ａの発電装置１の発電情報と発電事業者Ａの蓄電池２の充電情報との類似度、及び、発電事業者Ａの発電装置１の発電情報と参照発電装置の発電情報（例：発電事業者Ｂの発電装置１の発電情報）との類似度を用いて行う。類似度が所定レベル以上である場合、整合している（矛盾していない）と判定される。
【００４２】
本実施形態の場合、情報収集装置５が上記類似度の算出を行う。情報収集装置５が類似度を算出することにより、管理サーバ１００の処理負担を軽減することができる。そして、管理サーバ１００は、情報収集装置５から類似度を取得し、取得した類似度に基づき認証処理を行う。
【００４３】
また、本実施形態の場合、ある発電事業者の認証のための類似度の算出を、他の発電事業者の情報収集装置５が行う。例えば、発電事業者Ａの発電装置１で発電された電力が発電事業者Ａの蓄電池２に充電されたことを認証するための類似度の算出を、発電事業者Ｂの情報収集装置５が行う。他の発電事業者の情報収集装置５が類似度を算出することで、類似度算出処理の信頼度を向上させることができる。
【００４４】
以下、上記認証を要求するユーザ端末装置２００、上記認証のための類似度の算出を行うユーザ端末装置２００、及び、管理サーバ１００の構成を、この順に説明する。なお、ユーザ端末装置２００は、図２に示す情報収集装置５、又は、測定装置４と情報収集装置５を組み合わせた装置に対応する。
【００４５】
＜認証を要求するユーザ端末装置２００＞
図７に、当該ユーザ端末装置２００の機能ブロック図の一例を示す。図示するように、ユーザ端末装置２００は、発電情報取得部２０１と、充電情報取得部２１０と、送信部２０５とを有する。
【００４６】
発電情報取得部２０１は、自装置の管理対象の発電装置１に関する発電情報を取得する。「自装置」は、ユーザ端末装置２００そのものであり、図２に示す情報収集装置５、又は、測定装置４と情報収集装置５を組み合わせた装置に対応する。「自装置の管理対象の発電装置１」は、上述した、測定装置４や情報収集装置５に予め管理対象と設定される発電装置１である。「発電情報」の一例は、例えば図３や図４で示される。詳細は上述の通りであるので、ここでの説明は省略する。
【００４７】
充電情報取得部２１０は、自装置（ユーザ端末装置２００）の管理対象の蓄電池２に関する充電情報を取得する。「自装置の管理対象の蓄電池２」は、上述した、測定装置４や情報収集装置５に予め管理対象と設定される蓄電池２である。充電情報の一例は、例えば図５や図６で示される。詳細は上述の通りであるので、ここでの説明は省略する。
【００４８】
送信部２０５は、発電情報取得部２０１が取得した発電情報、及び、充電情報取得部２１０が取得した充電情報を、インターネット等のネットワーク６を介して他のユーザ端末装置２００に送信する。
【００４９】
例えば、予め、各ユーザ端末装置２００に、発電情報及び充電情報の送信先となる他のユーザ端末装置２００のアドレス情報が登録されていてもよい。そして、送信部２０５は、当該アドレス情報に基づき、発電情報及び充電情報を他のユーザ端末装置２００に送信してもよい。
【００５０】
その他、管理サーバ１００が、各ユーザ端末装置２００に、所定のタイミングで、発電情報及び充電情報の送信先となる他のユーザ端末装置２００のアドレス情報を送信してもよい。そして、送信部２０５は、当該アドレス情報に基づき、発電情報及び充電情報を他のユーザ端末装置２００に送信してもよい。
【００５１】
その他、各ユーザ端末装置２００は、管理サーバ１００に、発電情報及び充電情報を送信してもよい。そして、管理サーバ１００は、あるユーザ端末装置２００から受信した発電情報及び充電情報を、他のユーザ端末装置２００に送信してもよい。
【００５２】
なお、送信部２０５は、発電情報及び充電情報に、自装置（ユーザ端末装置２００）や自装置を管理する発電事業者等を識別する情報を対応付けて、他のユーザ端末装置２００に送信する。
【００５３】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【００５４】
なお、各発電事業者のユーザ端末装置２００は、上述した「認証を要求する側」、及び、ここで説明する「認証のための類似度の算出を行う側」の両方になることができる。すなわち、ユーザ端末装置２００は、図７及び図８に示すすべての構成要素を備えてもよい。
【００５５】
発電情報取得部２０１は、自装置（ユーザ端末装置２００）の管理対象の発電装置１に関する発電情報を受信する。発電情報取得部２０１の詳細は、上述の通りである。
【００５６】
発電情報受信部２０２は、他のユーザ端末装置２００から、他のユーザ端末装置２００の管理対象の発電装置１に関する発電情報を受信する。
【００５７】
充電情報受信部２０４は、他のユーザ端末装置２００から、他のユーザ端末装置２００の管理対象の蓄電池２の充電状況を示す充電情報を受信する。発電情報受信部２０２及び充電情報受信部２０４は、同一の他の装置（ユーザ端末装置２００）から、発電情報及び充電情報を受信する。
【００５８】
類似度算出部２０３は、発電情報取得部２０１が取得した発電情報（自装置（ユーザ端末装置２００）の管理対象の発電装置１の発電情報）と、発電情報受信部２０２が受信した発電情報（他のユーザ端末装置２００の管理対象の発電装置１の発電情報）との類似度を算出する。
【００５９】
また、類似度算出部２０３は、発電情報受信部２０２が受信した発電情報（他のユーザ端末装置２００の管理対象の発電装置１の発電情報）と、充電情報受信部２０４が受信した充電情報（他のユーザ端末装置２００の管理対象の蓄電池２の充電情報）との類似度を算出する。
【００６０】
以下、類似度算出処理の一例を説明する。
【００６１】
＜発電情報取得部２０１が取得した発電情報と、発電情報受信部２０２が受信した発電情報との類似度算出処理の例１＞
以下、発電情報取得部２０１が取得した発電情報を「参照発電情報」と呼び、発電情報受信部２０２が受信した発電情報を「対象発電情報」と呼ぶ。
【００６２】
当該例では、類似度算出部２０３は、「参照発電情報」の時間変化と、「対象発電情報」の時間変化と、の類似度を算出する。具体的には、類似度算出部２０３は、以下の処理を行う。
【００６３】
（１−１）類似度算出部２０３は、参照発電情報から、所定の時間幅（設計的事項。例えば、３０秒、１分、５分、１５分、３０分等。）のデータを第１の参照発電情報として抽出する。また、類似度算出部２０３は、対象発電情報から、所定の時間幅（設計的事項。例えば、３０秒、１分、５分、１５分、３０分等。）のデータを第１の対象発電情報として抽出する。なお、類似度算出部２０３は、参照発電情報及び対象発電情報各々から、測定タイミングが一致するデータを抽出する。
【００６４】
（１−２）類似度算出部２０３は、第１の参照発電情報と第１の対象発電情報の類似度を算出する。類似度の算出方法は設計的事項であるが、例えば、類似度算出部２０３は相関係数を算出してもよい。その他、第１の参照発電情報及び第１の対象発電情報各々をフーリエ変換し、周波数ごとの値（変換後のデータ）を得てもよい。そして、当該変換後のデータの相関係数を算出してもよい。
【００６５】
（１−３）（１−１）に戻り、参照発電情報及び対象発電情報各々から抽出するデータを同じ時間方向に同じ量だけずらしながら、上記処理を繰り返す。これにより、類似度の時系列データが得られる。当該時系列データの各値には、各値の算出に用いた参照発電情報の値又は対象発電情報の値の測定タイミング（例：測定日時）が対応付けられていてもよい。
【００６６】
なお、図９に示すように、対象発電情報と参照発電情報間には、発電装置１の設置位置のずれに応じた遅れ時間が生じ得る。図９では、参照発電情報が遅れているが、逆になる場合もある。類似度算出部２０３は、当該遅れ時間を考慮して上記処理を実行することができる。
【００６７】
例えば、類似度算出部２０３は、（１−１）の処理において、参照発電情報及び対象発電情報各々から、測定タイミングが所定時間Ｔだけ互いにずれている第１の参照発電情報及び第１の対象発電情報を抽出してもよい。図９に示す遅れ時間が予め分かっている場合、当該遅れ時間を上記所定時間Ｔとして予め類似度算出部２０３に与えておくことで、遅れ時間を考慮し、精度よく類似度を算出できる。
【００６８】
図９に示す遅れ時間が予め分かっていない場合、類似度算出部２０３は、上記所定時間（ずれ時間）Ｔを複数設定し、各々に対して上記（１−１）乃至（１−３）の処理を行うことで、複数の所定時間（ずれ時間）Ｔ各々に対応した類似度の時系列データを複数得てもよい。そして、類似度算出部２０３は、その中から、管理サーバ１００に送信するデータ（類似度の時系列データ）を選択してもよい。例えば、類似度算出部２０３は、類似度の平均値が最も高い時系列データや、最も高い類似度が含まれる時系列データを、選択してもよい。
【００６９】
＜発電情報取得部２０１が取得した発電情報と、発電情報受信部２０２が受信した発電情報との類似度算出処理の例２＞
当該例では、類似度算出部２０３は、「参照発電情報」の値と、「対象発電情報」の値との類似度を算出する。具体的には、類似度算出部２０３は、以下の処理を行う。
【００７０】
（２−１）類似度算出部２０３は、参照発電情報から１つのデータ値を抽出する。また、類似度算出部２０３は、対象発電情報から１つのデータ値を抽出する。なお、類似度算出部２０３は、参照発電情報及び対象発電情報各々から、測定タイミングが一致するデータを抽出する。
【００７１】
（２−２）類似度算出部２０３は、参照発電情報及び対象発電情報各々から抽出した値の類似度を算出する。類似度の算出方法は設計的事項であるが、例えば、類似度算出部２０３は、２つの値の差分の絶対値や、一方の値を他方の値で割った値を、類似度として算出してもよい。
【００７２】
（２−３）（２−１）に戻り、参照発電情報及び対象発電情報各々から抽出するデータを同じ時間方向に同じ量だけずらしながら、上記処理を繰り返す。これにより、類似度の時系列データが得られる。当該時系列データの各値には、各値の算出に用いた参照発電情報の値又は対象発電情報の値の測定タイミング（例：測定日時）が対応付けられていてもよい。
【００７３】
なお、当該例においても、類似度算出部２０３は、上述の遅れ時間を考慮して類似度を算出してもよい。
【００７４】
例えば、類似度算出部２０３は、（２−１）の処理において、参照発電情報及び対象発電情報各々から、測定タイミングが所定時間Ｔだけ互いにずれているデータ値を抽出してもよい。図９に示す遅れ時間が予め分かっている場合、当該遅れ時間を上記所定時間Ｔとして予め類似度算出部２０３に与えておくことで、遅れ時間を考慮し、精度よく類似度を算出できる。
【００７５】
図９に示す遅れ時間が予め分かっていない場合、類似度算出部２０３は、上記所定時間（ずれ時間）Ｔを複数設定し、各々に対して上記（２−１）乃至（２−３）の処理を行うことで、複数の所定時間（ずれ時間）Ｔ各々に対応した類似度の時系列データを複数得てもよい。そして、類似度算出部２０３は、その中から、管理サーバ１００に送信するデータ（類似度の時系列データ）を選択してもよい。
【００７６】
＜発電情報受信部２０２が受信した発電情報と、充電情報受信部２０４が受信した充電情報との類似度算出処理の例１＞
以下、充電情報受信部２０４が受信した充電情報を「対象充電情報」と呼ぶ。当該例では、類似度算出部２０３は、「対象発電情報」の時間変化と、「対象充電情報」の時間変化との類似度を算出する。具体的には、類似度算出部２０３は、以下の処理を行う。
【００７７】
（３−１）類似度算出部２０３は、対象発電情報から、所定の時間幅（設計的事項。例えば、３０秒、１分、５分、１５分、３０分等。）のデータを第１の対象発電情報として抽出する。また、類似度算出部２０３は、対象充電情報から、所定の時間幅（設計的事項。例えば、３０秒、１分、５分、１５分、３０分等。）のデータを第１の対象充電情報として抽出する。なお、類似度算出部２０３は、対象発電情報及び対象充電情報各々から、測定タイミングが一致するデータを抽出する。
【００７８】
（３−２）類似度算出部２０３は、第１の対象発電情報と第１の対象充電情報の類似度を算出する。類似度の算出方法は設計的事項であるが、例えば、類似度算出部２０３は相関係数を算出してもよい。その他、第１の対象発電情報及び第１の対象充電情報各々をフーリエ変換し、周波数ごとの値（変換後のデータ）を得てもよい。そして、当該変換後のデータの相関係数を算出してもよい。
【００７９】
（３−３）（３−１）に戻り、対象発電情報及び対象充電情報各々から抽出するデータを同じ時間方向に同じ量だけずらしながら、上記処理を繰り返す。これにより、類似度の時系列データが得られる。当該時系列データの各値には、各値の算出に用いた対象発電情報の値又は対象充電情報の値の測定タイミング（例：測定日時）が対応付けられていてもよい。
【００８０】
なお、対象発電情報と対象充電情報間には、各々の測定位置間の距離等に応じた遅れ時間が生じ得る。類似度算出部２０３は、当該遅れ時間を考慮して上記処理を実行することができる。
【００８１】
例えば、類似度算出部２０３は、（３−１）の処理において、対象発電情報及び対象充電情報各々から、測定タイミングが所定時間Ｔだけ互いにずれている第１の対象発電情報及び第１の対象充電情報を抽出してもよい。遅れ時間が予め分かっている場合、当該遅れ時間を上記所定時間Ｔとして予め類似度算出部２０３に与えておくことで、遅れ時間を考慮し、精度よく類似度を算出できる。
【００８２】
遅れ時間が予め分かっていない場合、類似度算出部２０３は、上記所定時間（ずれ時間）Ｔを複数設定し、各々に対して上記（３−１）乃至（３−３）の処理を行うことで、複数の所定時間（ずれ時間）Ｔ各々に対応した類似度の時系列データを複数得てもよい。そして、類似度算出部２０３は、その中から、管理サーバ１００に送信するデータ（類似度の時系列データ）を選択してもよい。
【００８３】
＜発電情報受信部２０２が受信した発電情報と、充電情報受信部２０４が受信した充電情報との類似度算出処理の例２＞
当該例では、類似度算出部２０３は、「対象発電情報」の値と、「対象充電情報」の値との類似度を算出する。具体的には、類似度算出部２０３は、以下の処理を行う。
【００８４】
（４−１）類似度算出部２０３は、対象発電情報から１つのデータ値を抽出する。また、類似度算出部２０３は、対象充電情報から１つのデータ値を抽出する。
【００８５】
（４−２）類似度算出部２０３は、対象発電情報及び対象充電情報各々から抽出した値の類似度を算出する。類似度の算出方法は設計的事項であるが、例えば、類似度算出部２０３は、２つの値の差分の絶対値や、一方の値を他方の値で割った値を、類似度として算出してもよい。なお、類似度算出部２０３は、対象発電情報及び対象充電情報各々から、測定タイミングが一致するデータを抽出する。
【００８６】
（４−３）（４−１）に戻り、対象発電情報及び対象充電情報各々から抽出するデータを同じ時間方向に同じ量だけずらしながら、上記処理を繰り返す。これにより、類似度の時系列データが得られる。当該時系列データの各値には、各値の算出に用いた対象発電情報の値又は対象充電情報の値の測定タイミング（例：測定日時）が対応付けられていてもよい。
【００８７】
なお、当該例においても、類似度算出部２０３は、上述の遅れ時間を考慮して類似度を算出してもよい。
【００８８】
例えば、類似度算出部２０３は、（４−１）の処理において、対象発電情報及び対象充電情報各々から、測定タイミングが所定時間Ｔだけ互いにずれているデータ値を抽出してもよい。遅れ時間が予め分かっている場合、当該遅れ時間を上記所定時間Ｔとして予め類似度算出部２０３に与えておくことで、遅れ時間を考慮し、精度よく類似度を算出できる。
【００８９】
遅れ時間が予め分かっていない場合、類似度算出部２０３は、上記所定時間（ずれ時間）Ｔを複数設定し、各々に対して上記（４−１）乃至（４−３）の処理を行うことで、複数の所定時間（ずれ時間）Ｔ各々に対応した類似度の時系列データを複数得てもよい。そして、類似度算出部２０３は、その中から、管理サーバ１００に送信するデータ（類似度の時系列データ）を選択してもよい。
【００９０】
図８に戻り、送信部２０５は、類似度算出部２０３が算出した類似度（参照発電情報と対象発電情報との類似度の時系列データ、及び、対象発電情報と対象充電情報との類似度の時系列データ）を管理サーバ１００に送信する。
【００９１】
送信部２０５は、当該類似度に、自装置（ユーザ端末装置２００）や自装置を管理する発電事業者等を識別する情報、及び、発電情報及び充電情報を送信してきたユーザ端末装置２００や当該ユーザ端末装置２００を管理する発電事業者を識別する情報を対応付けて、管理サーバ１００に送信する。また、送信部２０５は、当該類似度に、発電情報受信部２０２及び充電情報受信部２０４が受信した発電情報（対象発電情報）及び充電情報（対象充電情報）を対応付けて、管理サーバ１００に送信してもよい。
【００９２】
ここで、図１４のフローチャートを用いて、ユーザ端末装置２００の処理の流れの一例を説明する。
【００９３】
まず、発電情報受信部２０２及び充電情報受信部２０４は、他のユーザ端末装置２００から送信される発電情報及び充電情報の受信を待つ（Ｓ１０）。発電情報受信部２０２が他のユーザ端末装置２００の発電情報を受信し、充電情報受信部２０４が他のユーザ端末装置２００の充電情報を受信すると（Ｓ１０のＹｅｓ）ステップＳ１１に進む。ステップＳ１１において、発電情報取得部２０１は自装置の管理対象である発電装置１に関する発電情報を取得する。
【００９４】
ステップＳ１２では、類似度算出部２０３は、発電情報取得部２０１が取得した発電情報（参照発電情報）と、発電情報受信部２０２が受信した発電情報（対象発電情報）との類似度と、を算出する。また、類似度算出部２０３は、発電情報受信部２０２が受信した発電情報（対象発電情報）と、充電情報受信部２０４が受信した充電情報（対象充電情報）との類似度を算出する。
【００９５】
その後、送信部２０５は、Ｓ１２で類似度算出部２０３が算出した類似度を、管理サーバ１００に送信する（Ｓ１３）。
【００９６】
以降、当該処理を終了する入力がない場合（Ｓ１４のＮｏ）、上記処理を繰り返す。一方、当該処理を終了する入力があると（Ｓ１４のＹｅｓ）、上記処理を終了する。
【００９７】
＜管理サーバ１００＞
図１０に、管理サーバ１００の機能ブロック図の一例を示す。図示するように、管理サーバ１００は、類似度受信部１０１と、認証部１０２とを有する。
【００９８】
まず、管理サーバ１００には、認証サービスを提供する対象である複数の発電事業者が登録される。例えば、図１１に示すような情報が登録される。図１１に示す登録情報には、複数の発電事業者各々を識別するユーザＩＤと、発電装置１を識別する発電装置ＩＤと、蓄電池２を識別する蓄電池ＩＤと、ユーザ端末装置２００を識別するユーザ端末装置ＩＤと、発電装置１の設置場所と、ユーザ端末装置２００のネットワーク６上のアドレス情報とが互いに対応付けられている。
【００９９】
類似度受信部１０１は、ユーザ端末装置２００の送信部２０５が送信してきた類似度（参照発電情報と対象発電情報との類似度の時系列データ、及び、対象発電情報と対象充電情報との類似度の時系列データ）を受信する。
【０１００】
類似度受信部１０１は、第１のユーザ端末装置２００から、第２のユーザ端末装置２００が要求する認証に関する類似度を受信する。すなわち、類似度受信部１０１は、第１のユーザ端末装置２００から、第２のユーザ端末装置２００の管理対象の発電装置１の発電情報（対象発電情報）と、第１のユーザ端末装置２００の管理対象の発電装置１の発電情報（参照発電情報）との類似度を受信する。また、類似度受信部１０１は、第１のユーザ端末装置２００から、第２のユーザ端末装置２００の管理対象の発電装置１の発電情報（対象発電情報）と、第２のユーザ端末装置２００の管理対象の蓄電池２の充電情報（対象充電情報）との類似度を受信する。
【０１０１】
類似度受信部１０１は、第１のユーザ端末装置２００から、類似度に対応付けて、第１のユーザ端末装置２００及び第２のユーザ端末装置２００各々を識別する情報や、第２のユーザ端末装置２００が第１のユーザ端末装置２００に送信した発電情報及び充電情報を、さらに受信してもよい。
【０１０２】
認証部１０２は、類似度受信部１０１が第１のユーザ端末装置２００から受信した類似度に基づき、第２のユーザ端末装置２００のための認証処理を行う。すなわち、認証部１０２は、第１のユーザ端末装置２００から受信した類似度に基づき、第２のユーザ端末装置２００の管理対象の発電装置１の発電電力が、第２のユーザ端末装置２００の管理対象の蓄電池２に充電されたことを認証するための認証処理を行う。
【０１０３】
以下、認証部１０２による認証処理の具体例を説明する。なお、以下では、参照発電情報と対象発電情報との類似度の時系列データを、「発電−発電間類似度データ」と呼ぶ。また、対象発電情報と対象充電情報との類似度の時系列データを、「発電−充電間類似度データ」と呼ぶ。
【０１０４】
例えば、認証部１０２は、「発電−発電間類似度データ」及び「発電−充電間類似度データ」を分析し、いずれの類似度も所定レベル以上である時間帯を特定してもよい。そして、認証部１０２は、特定した時間帯における発電電力量の積算値、又は、特定した時間帯に蓄電池２に充電された電力量の積算値を、発電装置１から蓄電池２に充電された電力量として認証してもよい。
【０１０５】
その他、認証部１０２は、「条件１：（特定した時間帯に蓄電池２に充電された電力量の積算値）≦（特定した時間帯の発電電力量の積算値）」を満たす場合に、特定した時間帯の発電電力量の積算値、又は、特定した時間帯に蓄電池２に充電された電力量の積算値を、発電装置１から蓄電池２に充電された電力量として認証してもよい。
【０１０６】
条件１に基づけば、発電装置１の発電電力量よりも蓄電池２に充電された電力量の方が大きい状況下で、発電装置１から蓄電池２に充電されたことを認証する不都合を回避できる。
【０１０７】
その他、認証部１０２は、条件１に加えて、又は、代えて、「条件２：参照発電情報及び対象発電情報のずれ時間Ｔが所定値以下」及び「条件３：対象発電情報及び対象充電情報のずれ時間Ｔが所定値以下」を満たす場合に、特定した時間帯の発電電力量又は充電電力量の積算値が、発電装置１から蓄電池２に充電されたことを認証してもよい。
【０１０８】
「ずれ時間Ｔ」は、類似度算出部２０３による類似度算出処理の一例で説明した所定の時間（ずれ時間）Ｔである。当該例の場合、ユーザ端末装置２００は、類似度に加えて、ずれ時間Ｔを管理サーバ１００に送信する。
【０１０９】
条件２及び３を満たすことで、測定タイミングが大きく離れた（例：３日のずれ）データ間の類似度がたまたま類似していたことに基づき、発電装置１から蓄電池２に充電されたことを認証してしまう不都合を回避できる。
【０１１０】
ここで、図１２に、管理サーバ１００が管理する情報（以下、「管理情報」）の一例を模式的に示す。図示する例では、蓄電池２ごとに、充電電力量の最新値と、グリーン電力保証電力量と、その他の電力量とを対応付けている。グリーン電力保証電力量とその他の電力量との和が、充電電力量となる。以下、管理サーバ１００が当該管理情報を更新する処理の一例を説明する。
【０１１１】
例えば、管理サーバ１００は、各ユーザ端末装置２００から、定期的に、蓄電池２の充電電力量（ｋｗｈ）の最新値を取得してもよい。そして、管理サーバ１００は、当該最新値を取得するごとに、管理情報の充電電力量の欄の値を最新の値に更新してもよい。
【０１１２】
また、管理サーバ１００は、認証部１０２による認証結果に基づき、管理情報を更新する。認証結果は、例えば、「第２のユーザ端末装置２００の管理対象の発電装置１が発電した○○ｋＷｈのグリーン電力が、第２のユーザ端末装置２００の管理対象の蓄電池２に充電されたことを認証する。」ことを示す。
【０１１３】
管理サーバ１００は、このような肯定的な認証結果に基づき、所定の蓄電池２の管理情報を更新する。上述のような認証結果を取得した場合、管理サーバ１００は、第２のユーザ端末装置２００の管理対象の蓄電池２に対応付けられているグリーン電力保証電力量（図１２参照）の値を更新する。具体的には、第２のユーザ端末装置２００の管理対象の蓄電池２に対応付けられているグリーン電力保証電力量（図１２参照）の値に、○○ｋＷｈを加算する。なお、例えば図１１に示すような登録情報に基づき、管理サーバ１００は、各ユーザ端末装置２００の管理対象の蓄電池２を特定できる。
【０１１４】
管理サーバ１００は、充電電力量の欄及びグリーン電力保証電力量の欄の値の少なくとも一方が更新されると、必要に応じて、グリーン電力保証電力量の欄の値とその他の電力量の欄の値との和が充電電力量の欄の値となるように、その他の電力量の欄の値を更新する。
【０１１５】
なお、本実施形態の管理サーバ１００は、各発電事業者からの要請に応じ、蓄電池２に充電されている電力がグリーン電力であることを保証する証明書を発行してもよい。管理サーバ１００は、管理情報（図１２参照）に基づき、グリーン電力保証電力量の欄の値を上限として、上記証明書を発行する。
【０１１６】
そして、管理サーバ１００は、当該証明書の発行に応じて、管理情報（図１２参照）を更新する。例えば、管理サーバ１００は、蓄電池ＩＤ「ＳＥ０００００１」の蓄電池２に「５０ｋｗｈ」のグリーン電力が充電されていることを証明する証明書を発行すると、それに応じて、蓄電池ＩＤ「ＳＥ０００００１」に対応するグリーン電力保証電力量の欄の値から「５０ｋｗｈ」を差し引く。
【０１１７】
以下、証明書発行の処理例を示すが、これに限定されない。
【０１１８】
例えば、自分の蓄電池２に充電されている電力をグリーン電力として売電したい発電事業者は、管理サーバ１００に対し、蓄電池２にグリーン電力が充電されていること証明する証明書を要求する。当該要求の中には、要求する発電事業者のＩＤ、蓄電池ＩＤ、証明を求める電力量等が含まれる。
【０１１９】
当該要求は、インターネット等のネットワークを介して管理サーバ１００に送信されてもよい。この場合、発電事業者は、携帯電話、スマートフォン、タブレット端末、ＰＣ、ユーザ端末装置２００等の端末を用いて、所定の情報（証明を求める電力量等）を入力し、管理サーバ１００に要求を送信する。その他、当該要求は、電話、ＦＡＸ、窓口等を介して、証明書を発行する事業者の作業員に通知されてもよい。この場合、通知を受けた作業員は、管理サーバ１００に要求内容を入力する。
【０１２０】
要求を受信した管理サーバ１００は、管理情報（図１２参照）を参照し、要求された電力量が、グリーン電力保証電力量の欄の値を超えていないか判断する。超えていない場合、管理サーバ１００は、要求された電力量分のグリーン電力がその蓄電池２に充電されていることを証明する証明書を発行する。証明書は、電子データで構成され、インターネット等のネットワークを介して発電事業者のユーザ端末に送信されてもよい。その他、証明書は紙媒体であり、ＦＡＸ、郵送等で発電事業者に届けられてもよい。
【０１２１】
証明書を取得した発電事業者は、当該証明書を電力供給事業者に示し、蓄電池２に充電されている所定電力量分の電力をグリーン電力として売電する申し込みを行う。例えば、「電力供給事業者が、当該証明書なしではグリーン電力としての売電を受けない」場合、発電事業者は、当該証明書を示すことで、グリーン電力としての売電を行うことが可能となる。その他、例えば、「電力供給事業者が、当該証明書ありでの電力の売電（グリーン電力としての売電）と、当該証明書なしでの電力の売電（グリーン電力と異なる電力としての売電）との間に買い取り単価の差を設けている（グリーン電力の方が高い）」場合、発電事業者は、当該証明書を示すことで、より高い価格で電力を売電することができる。
【０１２２】
管理サーバ１００は、発電事業者からの要求に応じて証明書を発行すると、管理情報（図１２参照）を更新する。具体的には、管理サーバ１００は、発行した電力量分を、グリーン電力保証電力量の欄の値から差し引く。
【０１２３】
なお、管理サーバ１００は、ユーザからの要求に応じて、現在の蓄電池２の充電電力量及びグリーン電力保証電力量を返信してもよい。ユーザは、例えば、携帯電話、スマートフォン、タブレット端末、ＰＣ、ユーザ端末装置２００等の端末を用いて、当該要求及び返信の受信を行う。結果、ユーザが操作する端末に、図１３に示すような情報が表示される。
【０１２４】
ここで、図１５のフローチャートを用いて、管理サーバ１００の処理の流れの一例を説明する。
【０１２５】
まず、類似度受信部１０１は、ユーザ端末装置２００からの類似度の受信待ちとなっている（Ｓ２０）。類似度受信部１０１がユーザ端末装置２００から類似度を受信すると（Ｓ２０のＹｅｓ）、認証部１０２は、当該類似度に基づき認証処理を行う（Ｓ２１）。
【０１２６】
そして、管理サーバ１００は、Ｓ２１の認証結果に基づき、必要に応じて管理情報（図１２参照）を更新する（Ｓ２２）。
【０１２７】
以降、当該処理を終了する入力がない場合（Ｓ２３のＮｏ）、上記処理を繰り返す。一方、当該処理を終了する入力があると（Ｓ２３のＹｅｓ）、上記処理を終了する。
【０１２８】
以上説明した本実施形態によれば、蓄電池２にグリーン電力が充電されたことを証明するための技術が実現される。
【０１２９】
また、本実施形態によれば、ユーザ端末装置２００が、認証のための一部の演算処理（類似度算出処理）を実行する。このため、管理サーバ１００に処理が集中し、処理負担が大きくなる不都合を軽減できる。
【０１３０】
また、本実施形態によれば、ある発電事業者の認証のための類似度の算出を、他の発電事業者の情報収集装置５が行う。例えば、発電事業者Ａの発電装置１で発電された電力が発電事業者Ａの蓄電池２に充電されたことを認証するための類似度の算出を、発電事業者Ｂの情報収集装置５が行う。このため、類似度算出処理の信頼性が確保される。
【０１３１】
＜変形例＞
上述した例では、管理サーバ１００は、第１のユーザ端末装置２００から対象発電情報及び参照発電情報の類似度を受信すると、それに基づき、他のユーザ端末装置２００の要求に対する認証処理のみを行っていた。変形例として、管理サーバ１００（認証部１０２）は、第１のユーザ端末装置２００から対象発電情報及び参照発電情報の類似度を受信すると、当該類似度に基づき、他のユーザ端末装置２００の要求に対する認証処理のみならず、第１のユーザ端末装置２００の要求に対する認証処理を行ってもよい。すなわち、管理サーバ１００（認証部１０２）は、第１のユーザ端末装置２００から受信した対象発電情報及び参照発電情報の類似度を、第１のユーザ端末装置２００が要求する認証処理に用いてもよい。
【０１３２】
この場合、第１のユーザ端末装置２００の管理対象の発電装置１の発電情報と、第１のユーザ端末装置２００の管理対象の蓄電池２の充電情報との類似度の算出は、第１のユーザ端末装置２００と異なる他のユーザ端末装置２００、又は、管理サーバ１００が行うのが好ましい。これにより、認証処理の信頼性が確保される。
【０１３３】
＜＜第２の実施形態＞＞
本実施形態では、認証を要求するユーザ端末装置２００は、発電情報及び充電情報を、管理サーバ１００を介さず、管理サーバ１００が選択した他のユーザ端末装置２００に送信する。その他の構成は、第１の実施形態と同様である。以下、詳細に説明する。
【０１３４】
＜管理サーバ１００＞
図１６に、本実施形態の管理サーバ１００の機能ブロック図の一例を示す。図示するように、管理サーバ１００は、類似度受信部１０１と、認証部１０２と、送信先選択部１０３と、送信先情報送信部１０５とを有する。類似度受信部１０１の構成は、第１の実施形態と同様である。
【０１３５】
送信先選択部１０３は、ユーザ端末装置２００毎に、発電情報及び充電情報の送信先となる他のユーザ端末装置２００を選択する。結果、図１７に示すような対応情報が得られる。図１７に示す情報では、送信元となるユーザ端末装置２００のＩＤと、送信先となるユーザ端末装置２００のＩＤとが互いに対応付けられている。
【０１３６】
例えば、送信先選択部１０３は、第１のユーザ端末装置２００の送信先として、「条件：管理対象の発電装置１が、第１のユーザ端末装置２００の管理対象の発電装置１の設置位置から所定の距離以内に設置されている」を満たす他のユーザ端末装置２００を選択してもよい。送信先選択部１０３は、図１１に示すような登録情報に基づき、各ユーザ端末装置２００の管理対象の発電装置１の設置位置を把握し、上記条件を満たすユーザ端末装置２００を選択できる。
【０１３７】
送信先情報送信部１０５は、複数のユーザ端末装置２００各々に、送信先として選択されたユーザ端末装置２００を示す送信先情報（ネットワーク６上のアドレス情報）を送信する。
【０１３８】
なお、送信先選択部１０３は、ユーザ端末装置２００各々の上記送信先を定期的に変更してもよい。そして、送信先情報送信部１０５は、変更する都度、変更後の送信先情報を各ユーザ端末装置２００に送信してもよい。
【０１３９】
図１６に戻り、認証部１０２は、送信先選択部１０３による選択結果をさらに利用して、認証処理を行うことができる。認証部１０２のその他の構成は、第１の実施形態と同様である。
【０１４０】
認証部１０２は、送信先選択部１０３による選択結果（図１７参照）に基づき、複数のユーザ端末装置２００各々の送信先を把握する。そして、類似度受信部１０１が、第１のユーザ端末装置２００から、第２のユーザ端末装置２００から受信した発電情報及び充電情報に基づく類似度を受信すると、認証部１０２は、第１のユーザ端末装置２００及び第２のユーザ端末装置２００の組み合わせが、送信先選択部１０３により選択された組み合わせ通りか判定する。
【０１４１】
第１のユーザ端末装置２００及び第２のユーザ端末装置２００の組み合わせが、送信先選択部１０３により選択された組み合わせと異なる場合、認証部１０２は、受信した類似度に基づく認証処理を実行しない。
【０１４２】
一方、第１のユーザ端末装置２００及び第２のユーザ端末装置２００の組み合わせが、送信先選択部１０３により選択された組み合わせと合っている場合、認証部１０２は、第１の実施形態で説明した認証処理を実行する。
【０１４３】
＜認証を要求するユーザ端末装置２００＞
図１８に、当該ユーザ端末装置２００の機能ブロック図の一例を示す。図示するように、ユーザ端末装置２００は、発電情報取得部２０１と、送信部２０５と、送信先情報受信部２０８と、充電情報取得部２１０とを有する。発電情報取得部２０１及び充電情報取得部２１０の構成は、第１の実施形態と同様である。
【０１４４】
送信先情報受信部２０８は、管理サーバ１００から、発電情報及び充電情報を送信する送信先となる他のユーザ端末装置２００に関する送信先情報（ネットワーク６上のアドレス情報）を受信する。
【０１４５】
送信部２０５は、発電情報取得部２０１が取得した発電情報、及び、充電情報取得部２１０が取得した充電情報を、送信先情報受信部２０８が受信した送信先情報で特定される他のユーザ端末装置２００に送信する。送信部２０５のその他の構成は、第１の実施形態と同様である。
【０１４６】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０１４７】
発電情報取得部２０１、類似度算出部２０３及び送信部２０５の構成は、第１の実施形態と同様である。
【０１４８】
発電情報受信部２０２は、管理サーバ１００を介さず、他のユーザ端末装置２００から発電情報を受信する。充電情報受信部２０４は、管理サーバ１００を介さず、他のユーザ端末装置２００から充電情報を受信する。発電情報受信部２０２及び充電情報受信部２０４のその他の構成は、第１の実施形態と同様である。
【０１４９】
以上説明した本実施形態によれば、第１の実施形態と同様な作用効果を実現できる。また、ユーザ端末装置２００間での情報の送受信を実現できる。
【０１５０】
さらに、本実施形態によれば、管理サーバ１００が、発電装置１の設置位置等に基づき、ユーザ端末装置２００毎に、発電情報及び充電情報の送信先を決定できる。
【０１５１】
第１の実施形態で説明した通り、ユーザ端末装置２００は、他のユーザ端末装置２００から受信した発電情報（対象発電情報）と、自装置（ユーザ端末装置２００）の管理対象の発電装置１の発電情報（参照発電情報）との類似度を算出する。そして、当該類似度が所定レベル以上である場合、管理サーバ１００は、発電装置１から蓄電池２に充電されたことを認証する。
【０１５２】
当該認証は、上記２つのユーザ端末装置２００各々の管理対象の発電装置１が同様な環境下に置かれており、発電状況が同様になることを前提とする。このため上記２つのユーザ端末装置２００の組み合わせが適切でない場合、当該認証の信頼性が損なわれる。
【０１５３】
本実施形態では、管理サーバ１００が、各ユーザ端末装置２００の送信先を管理し、決定する。このため、複数のユーザ端末装置２００各々が、適切な他のユーザ端末装置２００に発電情報及び充電情報を送信するように制御できる。結果、認証の信頼性を確保することができる。
【０１５４】
また、本実施形態によれば、各ユーザ端末装置２００の送信先を定期的に変更することができる。このため、一部のユーザ端末装置２００に類似度算出処理の負担がかかる不都合を回避できる。
【０１５５】
＜＜第３の実施形態＞＞
本実施形態では、認証を要求するユーザ端末装置２００は、発電情報及び充電情報を、管理サーバ１００を介さず、管理サーバ１００が選択した複数の他のユーザ端末装置２００に送信する。その他の構成は、第１及び第２の実施形態と同様である。以下、詳細に説明する。
【０１５６】
＜管理サーバ１００＞
図１６に、本実施形態の管理サーバ１００の機能ブロック図の一例を示す。図示するように、管理サーバ１００は、類似度受信部１０１と、認証部１０２と、送信先選択部１０３と、送信先情報送信部１０５とを有する。
【０１５７】
送信先選択部１０３は、ユーザ端末装置２００毎に、発電情報及び充電情報の送信先となる他のユーザ端末装置２００を複数選択する。結果、図１９に示すような対応情報が得られる。図１９に示す情報では、送信元となるユーザ端末装置２００のＩＤと、送信先となる複数のユーザ端末装置２００のＩＤとが互いに対応付けられている。送信先選択部１０３のその他の構成は、第２の実施形態と同様である。
【０１５８】
送信先情報送信部１０５は、複数のユーザ端末装置２００各々に、送信先として選択された複数のユーザ端末装置２００を示す送信先情報（ネットワーク６上のアドレス情報）を送信する。送信先情報送信部１０５のその他の構成は、第２の実施形態と同様である。
【０１５９】
類似度受信部１０１は、送信先となった複数のユーザ端末装置２００各々から、類似度を受信する。
【０１６０】
具体的には、類似度受信部１０１は、第１乃至第Ｍ（Ｍは２以上の整数）のユーザ端末装置２００各々から、第Ｎのユーザ端末装置２００の管理対象の発電装置１の発電情報（対象発電情報）と、第１乃至第Ｍのユーザ端末装置２００各々の管理対象の発電装置１の発電情報（参照発電情報）との類似度を受信する。なお、第Ｎのユーザ端末装置２００は、第１乃至第Ｍのユーザ端末装置２００と異なるユーザ端末装置２００である。
【０１６１】
また、類似度受信部１０１は、第１乃至第Ｍのユーザ端末装置２００各々から、第Ｎのユーザ端末装置２００の管理対象の発電装置１の発電情報（対象発電情報）と、第Ｎのユーザ端末装置２００の管理対象の蓄電池２の充電情報（対象充電情報）との類似度を受信する。
【０１６２】
認証部１０２は、第１乃至第Ｍのユーザ端末装置２００から受信した類似度に基づき、第Ｎのユーザ端末装置２００の管理対象の発電装置１が発電した発電電力が第Ｎのユーザ端末装置２００の管理対象の蓄電池２に充電されたことを認証する。
【０１６３】
例えば、認証部１０２は、第１乃至第Ｍのユーザ端末装置２００から受信した類似度の中から所定の１つを代表データとして選択し、当該代表データに基づき認証処理を行ってもよい。その他、認証部１０２は、第１乃至第Ｍのユーザ端末装置２００から受信した類似度を平均した平均データに基づき認証処理を行ってもよい。
【０１６４】
類似度受信部１０１及び認証部１０２のその他の構成は、第１及び第２の実施形態と同様である。
【０１６５】
＜認証を要求するユーザ端末装置２００＞
図１８に、当該ユーザ端末装置２００の機能ブロック図の一例を示す。図示するように、ユーザ端末装置２００は、発電情報取得部２０１と、送信部２０５と、送信先情報受信部２０８と、充電情報取得部２１０とを有する。発電情報取得部２０１及び充電情報取得部２１０の構成は、第１及び第２の実施形態と同様である。
【０１６６】
送信先情報受信部２０８は、管理サーバ１００から、発電情報及び充電情報を送信する送信先となる複数の他のユーザ端末装置２００に関する送信先情報（ネットワーク６上のアドレス情報）を受信する。
【０１６７】
送信部２０５は、発電情報取得部２０１が取得した発電情報、及び、充電情報取得部２１０が取得した充電情報を、送信先情報受信部２０８が受信した送信先情報で特定される複数の他のユーザ端末装置２００各々に送信する。本実施形態の送信部２０５は、複数の送信先に、同じ発電情報及び充電情報を送信する。送信部２０５のその他の構成は、第１及び第２の実施形態と同様である。
【０１６８】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０１６９】
発電情報取得部２０１、類似度算出部２０３及び送信部２０５の構成は、第１及び第２の実施形態と同様である。発電情報受信部２０２及び充電情報受信部２０４の構成は、第２の実施形態と同様である。
【０１７０】
以上説明した本実施形態によれば、第１及び第２の実施形態と同様な作用効果を実現できる。
【０１７１】
また、本実施形態によれば、ある発電事業者が要求する認証のための類似度算出処理を、複数の発電事業者のユーザ端末装置２００で行うことができる。このため、ユーザ端末装置２００が算出した類似度を改竄する等の不正による信頼性の低下を抑制できる。
【０１７２】
また、送信先として指定されたユーザ端末装置２００の中のいずれかが、故障等の理由により類似度算出処理を実行できない場合、管理サーバ１００は、その他のユーザ端末装置２００の類似度算出処理の結果に基づき認証処理を行うことができる。このように、ユーザ端末装置２００の故障等に強いシステムが実現される。
【０１７３】
＜＜第４の実施形態＞＞
本実施形態では、認証を要求するユーザ端末装置２００は、発電情報及び充電情報を、管理サーバ１００を介さず、管理サーバ１００が選択した複数の他のユーザ端末装置２００に送信する。第３の実施形態では、ユーザ端末装置２００は、同じデータ（発電情報及び充電情報）を複数の他のユーザ端末装置２００に送信したが、本実施形態では、ユーザ端末装置２００は、発電情報及び充電情報を複数に分割し（例：所定時間帯毎に分割）、各々を、複数の他のユーザ端末装置２００に送信する。その他の構成は、第１乃至第３の実施形態と同様である。以下、詳細に説明する。
【０１７４】
＜管理サーバ１００＞
図１６に、本実施形態の管理サーバ１００の機能ブロック図の一例を示す。図示するように、管理サーバ１００は、類似度受信部１０１と、認証部１０２と、送信先選択部１０３と、送信先情報送信部１０５とを有する。送信先選択部１０３及び送信先情報送信部１０５の構成は、第３の実施形態と同様である。
【０１７５】
類似度受信部１０１は、送信先となった複数のユーザ端末装置２００各々から、類似度を受信する。
【０１７６】
具体的には、類似度受信部１０１は、第１乃至第Ｍ（Ｍは２以上の整数）のユーザ端末装置２００各々から、第Ｎのユーザ端末装置２００の管理対象の発電装置１の発電情報（対象発電情報）と、第１乃至第Ｍのユーザ端末装置２００各々の管理対象の発電装置１の発電情報（参照発電情報）との類似度を受信する。
【０１７７】
なお、類似度受信部１０１は、第１乃至第Ｍ（Ｍは２以上の整数）のユーザ端末装置２００各々から、異なる時間帯の類似度を受信する。例えば、類似度受信部１０１は、第１のユーザ端末装置２００から第１の時間帯（例：２０１５年１２時００分から１３時００分）の類似度を受信し、第２のユーザ端末装置２００から第２の時間帯（例：２０１５年１３時００分から１４時００分）の類似度を受信する。
【０１７８】
第１の時間帯（例：２０１５年１２時００分から１３時００分）の類似度は、第１の時間帯（例：２０１５年１２時００分から１３時００分）の対象発電情報と第１の時間帯（例：２０１５年１２時００分から１３時００分）の参照発電情報との類似度である。なお、対象発電情報及び参照発電情報の一方は、第１の時間帯から、第１の実施形態で説明した所定時間（ずれ時間）Ｔだけずれた時間帯（例：２０１５年１２時（００＋Ｔ）分から１３時（００＋Ｔ）分）のデータであってもよい。
【０１７９】
また、類似度受信部１０１は、第１乃至第Ｍのユーザ端末装置２００各々から、第Ｎのユーザ端末装置２００の管理対象の発電装置１の発電情報（対象発電情報）と、第Ｎのユーザ端末装置２００の管理対象の蓄電池２の充電情報（対象充電情報）との類似度を受信する。
【０１８０】
なお、類似度受信部１０１は、第１乃至第Ｍ（Ｍは２以上の整数）のユーザ端末装置２００各々から、異なる時間帯の類似度を受信する。例えば、類似度受信部１０１は、第１のユーザ端末装置２００から第１の時間帯（例：２０１５年１２時００分から１３時００分）の類似度を受信し、第２のユーザ端末装置２００から第２の時間帯（例：２０１５年１３時００分から１４時００分）の類似度を受信する。
【０１８１】
認証部１０２は、第１乃至第Ｍのユーザ端末装置２００から受信した類似度に基づき、第Ｎのユーザ端末装置２００の管理対象の発電装置１が発電した発電電力が第Ｎのユーザ端末装置２００の管理対象の蓄電池２に充電されたことを認証する。
【０１８２】
例えば、認証部１０２は、第１乃至第Ｍのユーザ端末装置２００から受信した類似度を結合することで、所定時間分の類似度（時系列データ）を生成する。そして、認証部１０２は、生成したデータに基づき、上述した認証処理を行う。
【０１８３】
類似度受信部１０１及び認証部１０２のその他の構成は、第１及び第２の実施形態と同様である。
【０１８４】
＜認証を要求するユーザ端末装置２００＞
図１８に、当該ユーザ端末装置２００の機能ブロック図の一例を示す。図示するように、ユーザ端末装置２００は、発電情報取得部２０１と、送信部２０５と、送信先情報受信部２０８と、充電情報取得部２１０とを有する。発電情報取得部２０１及び充電情報取得部２１０の構成は、第１及び第２の実施形態と同様である。
【０１８５】
送信先情報受信部２０８は、管理サーバ１００から、発電情報及び充電情報を送信する送信先となる複数の他のユーザ端末装置２００に関する送信先情報（ネットワーク６上のアドレス情報）を受信する。
【０１８６】
送信部２０５は、発電情報取得部２０１が取得した発電情報、及び、充電情報取得部２１０が取得した充電情報を、所定の時間帯毎に複数に分割する。そして、送信部２０５は、分割された発電情報及び充電情報の各々を、複数の他のユーザ端末装置２００各々に送信する。送信部２０５のその他の構成は、第１及び第２の実施形態と同様である。
【０１８７】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０１８８】
発電情報取得部２０１、類似度算出部２０３及び送信部２０５の構成は、第１乃至第３の実施形態と同様である。発電情報受信部２０２及び充電情報受信部２０４の構成は、第２及び第３の実施形態と同様である。
【０１８９】
以上説明した本実施形態によれば、第１及び第２の実施形態と同様な作用効果を実現できる。
【０１９０】
また、本実施形態によれば、ある発電事業者が要求する認証のための類似度算出処理を、複数の発電事業者のユーザ端末装置２００で分担することができる。このため、１つの他のユーザ端末装置２００に類似度算出処理の負担が集中する不都合を軽減できる。
【０１９１】
＜＜第５の実施形態＞＞
本実施形態では、認証を要求するユーザ端末装置２００は、管理サーバ１００から、発電情報及び充電情報の送信先の候補となる複数のユーザ端末装置２００に関する送信先情報を受信する。そして、認証を要求するユーザ端末装置２００は、その中から選択したユーザ端末装置２００に、管理サーバ１００を介さず発電情報及び充電情報を送信する。その他の構成は、第１乃至第４の実施形態と同様である。以下、詳細に説明する。
【０１９２】
＜管理サーバ１００＞
図１６に、本実施形態の管理サーバ１００の機能ブロック図の一例を示す。図示するように、管理サーバ１００は、類似度受信部１０１と、認証部１０２と、送信先選択部１０３と、送信先情報送信部１０５とを有する。類似度受信部１０１、認証部１０２、送信先選択部１０３及び送信先情報送信部１０５の構成は、第１乃至第４の実施形態と同様である。
【０１９３】
＜認証を要求するユーザ端末装置２００＞
図２０に、当該ユーザ端末装置２００の機能ブロック図の一例を示す。図示するように、ユーザ端末装置２００は、発電情報取得部２０１と、送信部２０５と、送信先情報受信部２０８と、選択部２０９と、充電情報取得部２１０とを有する。発電情報取得部２０１及び充電情報取得部２１０の構成は、第１乃至第４の実施形態と同様である。送信先情報受信部２０８の構成は、第３及び第４の実施形態と同様である。
【０１９４】
選択部２０９は、送信先情報受信部２０８が受信した送信先情報で特定される複数の送信先（ユーザ端末装置２００）の中から、１つ又は複数を選択する。例えば、選択部２０９は、送信先情報で特定される複数の送信先を一覧表示し、その中からの指定をユーザから受付けてもよい。そして、選択部２０９は、ユーザが指定した送信先を選択してもよい。その他、選択部２０９は、ユーザがそれまでに指定した送信先の選択回数、選択時期、送信データ量、認証結果等の履歴を記録し、記録された履歴から、送信先の選択回数、選択時期、送信データ量、認証結果等に応じた順序で送信先を一覧表表示し、その中からの指定をユーザから受け付け、その指定した送信先を選択してもよい。当該例の場合、選択部２０９は、上記履歴を記憶しており、新たに送信先が選択されると、それに応じて上記履歴を更新する。
【０１９５】
送信部２０５は、発電情報取得部２０１が取得した発電情報、及び、充電情報取得部２１０が取得した充電情報を、選択部２０９が選択した送信先（ユーザ端末装置２００）に送信する。送信部２０５のその他の構成は、第１乃至第４の実施形態と同様である。
【０１９６】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０１９７】
発電情報取得部２０１、類似度算出部２０３及び送信部２０５の構成は、第１乃至第４の実施形態と同様である。発電情報受信部２０２及び充電情報受信部２０４の構成は、第２乃至第４の実施形態と同様である。
【０１９８】
以上説明した本実施形態によれば、第１乃至第４の実施形態と同様な作用効果を実現できる。また、本実施形態によれば、認証を要求するユーザにとって、好適な送信先を指定することが可能となる。
【０１９９】
＜＜第６の実施形態＞＞
本実施形態では、認証を要求するユーザ端末装置２００は、発電情報及び充電情報を、管理サーバ１００を介さず１つ又は複数の他のユーザ端末装置２００に送信する。また、当該ユーザ端末装置２００は、充電情報に対し、認証に関係しない部分を改変する処理を行い、改変後の充電情報を他のユーザ端末装置２００に送信する。その他の構成は、第１乃至第５の実施形態と同様である。以下、詳細に説明する。
【０２００】
＜管理サーバ１００＞
図１６に、本実施形態の管理サーバ１００の機能ブロック図の一例を示す。図示するように、管理サーバ１００は、類似度受信部１０１と、認証部１０２と、送信先選択部１０３と、送信先情報送信部１０５とを有する。類似度受信部１０１、認証部１０２、送信先選択部１０３及び送信先情報送信部１０５の構成は、第１乃至第５の実施形態と同様である。
【０２０１】
＜認証を要求するユーザ端末装置２００＞
図２１に、当該ユーザ端末装置２００の機能ブロック図の一例を示す。図示するように、ユーザ端末装置２００は、発電情報取得部２０１と、送信部２０５と、送信先情報受信部２０８と、充電情報取得部２１０と、改変部２１１とを有する。なお、図示しないが、選択部２０９を有してもよい。発電情報取得部２０１及び充電情報取得部２１０の構成は、第１乃至第５の実施形態と同様である。送信先情報受信部２０８の構成は、第２乃至第５の実施形態と同様である。選択部２０９の構成は、第５の実施形態と同様である。
【０２０２】
改変部２１１は、充電情報取得部２１０が取得した充電情報の中の認証対象の時間帯を除く部分に、データ内容を改変する改変処理を施す。例えば、改変部２１１は、認証対象の時間帯を除く部分を削除してもよい。その他、改変部２１１は、認証対象の時間帯を除く部分のデータ値に、所定のデータ値を加えたり、引いたり、かけたり、割ったりすることで、データ値を改変してもよい。
【０２０３】
例えば、ユーザが、発電装置１の発電電力が蓄電池２に充電されたことの認証を希望する時間帯をユーザ端末装置２００に入力する。そして、改変部２１１は、入力された情報に基づき、認証対象の時間帯を特定する。
【０２０４】
送信部２０５は、改変部２１１による改変処理が施された充電情報を、他のユーザ端末装置２００に送信する。送信部２０５のその他の構成は、第１乃至第５の実施形態と同様である。
【０２０５】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０２０６】
発電情報取得部２０１、類似度算出部２０３及び送信部２０５の構成は、第１乃至第５の実施形態と同様である。発電情報受信部２０２及び充電情報受信部２０４の構成は、第２乃至第５の実施形態と同様である。
【０２０７】
以上説明した本実施形態によれば、第１乃至第５の実施形態と同様な作用効果を実現できる。
【０２０８】
また、各発電事業者は、認証対象でない部分を改変した充電情報を、他のユーザ端末装置２００に送信させることができる。充電情報は、各発電事業者の充電状況を示すプライベートな情報である。本実施形態によれば、このようなプライベートな情報が他人に渡る不都合を極力抑制することができる。
【０２０９】
＜＜第７の実施形態＞＞
本実施形態では、認証を要求するユーザ端末装置２００は、発電情報及び充電情報を、管理サーバ１００を介して、管理サーバ１００が選択した他のユーザ端末装置２００に送信する。その他の構成は、第１乃至第６の実施形態と同様である。以下、詳細に説明する。
【０２１０】
＜管理サーバ１００＞
図２２に、本実施形態の管理サーバ１００の機能ブロック図の一例を示す。図示するように、管理サーバ１００は、類似度受信部１０１と、認証部１０２と、送信先選択部１０３と、中継部１０４とを有する。類似度受信部１０１及び認証部１０２の構成は、第１乃至第６の実施形態と同様である。
【０２１１】
送信先選択部１０３は、ユーザ端末装置２００毎に、発電情報及び充電情報の送信先となる他のユーザ端末装置２００を選択する。結果、図１７に示すような対応情報が得られる。図１７に示す情報では、送信元となるユーザ端末装置２００のＩＤと、送信先となるユーザ端末装置２００のＩＤとが互いに対応付けられている。送信先の選択方法は、第２の実施形態で説明したものと同様であってもよい。
【０２１２】
なお、送信先選択部１０３は、第３乃至第５の実施形態と同様に、ユーザ端末装置２００毎に、複数の送信先を選択してもよい。この場合、図１９に示すような対応情報が得られる。
【０２１３】
また、送信先選択部１０３は、ユーザ端末装置２００各々の送信先を、定期的に変更してもよい。
【０２１４】
中継部１０４は、複数のユーザ端末装置２００各々から発電情報及び充電情報を受信すると、各ユーザ端末装置２００に対応して送信先として選択された他のユーザ端末装置２００に送信する。
【０２１５】
なお、中継部１０４は、ユーザ端末装置２００毎に複数の送信先を選択している場合、受信した発電情報及び充電情報を、各ユーザ端末装置２００に対応して送信先として選択された複数の他のユーザ端末装置２００に送信してもよい。この場合、中継部１０４は、送信先となっている複数の他のユーザ端末装置２００に同じデータ（発電情報及び充電情報）を送信してもよい。その他、中継部１０４は、受信した発電情報及び充電情報を所定の時間帯毎に複数に分割し、分割された発電情報及び充電情報の各々を、複数の他のユーザ端末装置２００各々に送信してもよい。
【０２１６】
また、中継部１０４は、図２３に示すように改変部１１０を有してもよい。改変部１１０は、受信した充電情報の中の認証対象の時間帯を除く部分に、データ内容を改変する改変処理を施す。改変処理は、第６の実施形態で説明した改変部２１１による改変処理と同様である。当該例の場合、中継部１０４は、ユーザ端末装置２００各々から、発電情報及び充電情報と共に、認証対象の時間帯を示す情報を受信する。そして、改変部１１０は、当該情報に基づき、受信した充電情報の中の認証対象の時間帯を特定する。
【０２１７】
＜認証を要求するユーザ端末装置２００＞
図７に、当該ユーザ端末装置２００の機能ブロック図の一例を示す。図示するように、ユーザ端末装置２００は、発電情報取得部２０１と、送信部２０５と、充電情報取得部２１０とを有する。発電情報取得部２０１及び充電情報取得部２１０の構成は、第１乃至第６の実施形態と同様である。
【０２１８】
送信部２０５は、管理サーバ１００のネットワーク６上のアドレス情報を予め保持している。そして、送信部２０５は、発電情報取得部２０１が取得した発電情報、及び、充電情報取得部２１０が取得した充電情報を、管理サーバ１００に送信する。
【０２１９】
＜認証のための類似度の算出を行うユーザ端末装置２００＞
図８に、当該ユーザ端末装置２００の機能ブロック図の一例を示す。図示するように、ユーザ端末装置２００は、発電情報取得部２０１と、発電情報受信部２０２と、類似度算出部２０３と、充電情報受信部２０４と、送信部２０５とを有する。
【０２２０】
発電情報取得部２０１、類似度算出部２０３及び送信部２０５の構成は、第１乃至第６の実施形態と同様である。
【０２２１】
発電情報受信部２０２は、管理サーバ１００から、他のユーザ端末装置２００の管理対象の発電装置１の発電情報を受信する。充電情報受信部２０４は、管理サーバ１００から、他のユーザ端末装置２００の管理対象の蓄電池２の充電情報を受信する。発電情報受信部２０２及び充電情報受信部２０４のその他の構成は、第１乃至第６の実施形態と同様である。
【０２２２】
以上説明した本実施形態は、第１の実施形態と同様な作用効果を実現できる。
【０２２３】
また、本実施形態では、あるユーザ端末装置２００から他のユーザ端末装置２００に発電情報及び充電情報を送信するルートが、第２乃至第６の実施形態と異なる。しかし、このような本実施形態も、第２乃至第６の実施形態と同様な作用効果を実現できる。
【０２２４】
また、本実施形態の場合、管理サーバ１００が発電情報及び充電情報を中継する。この管理サーバ１００に、発電情報及び充電情報に対するウイルスチェック機能を与えることで、あるユーザ端末装置２００から他のユーザ端末装置２００にウイルスが送信される不都合を防ぐことができる。
【０２２５】
＜＜第８の実施形態＞＞
第１乃至第７の実施形態では、参照発電情報と対象発電情報との類似度の算出、及び、対象発電情報と対象充電情報との類似度の算出の両方を、一のユーザ端末装置２００が行っていた。本実施形態では、対象発電情報と対象充電情報との類似度の算出を、他の装置が行う。
【０２２６】
本実施形態の場合、認証のための類似度の算出を行うユーザ端末装置２００は、参照発電情報（自装置の管理対象の発電装置１の発電情報）と対象発電情報（認証を要求するユーザ端末装置２００の管理対象の発電装置１の発電情報）との類似度の算出を行い、算出した類似度を管理サーバ１００に送信する。そして、認証のための類似度の算出を行うユーザ端末装置２００は、対象発電情報（認証を要求するユーザ端末装置２００の管理対象の発電装置１の発電情報）と、対象充電情報（認証を要求するユーザ端末装置２００の管理対象の蓄電池２の充電情報）との類似度の算出を行わない。認証のための類似度の算出を行うユーザ端末装置２００のその他の構成は、第１乃至第７の実施形態と同様である。
【０２２７】
＜例１＞
例えば、認証を要求するユーザ端末装置２００が、対象発電情報と対象充電情報との類似度の算出を行ってもよい。
【０２２８】
この例の場合、認証を要求するユーザ端末装置２００は、自装置（ユーザ端末装置２００）の管理対象の発電装置１の発電情報（対象発電情報）を他のユーザ端末装置２００に送信する一方で、自装置（ユーザ端末装置２００）の管理対象の蓄電池２の充電情報（対象充電情報）を他のユーザ端末装置２００に送信しない。このため、プライベートな情報（充電情報）が他人に渡る不都合を回避できる。
【０２２９】
そして、認証を要求するユーザ端末装置２００は、自装置（ユーザ端末装置２００）の管理対象の発電装置１の発電情報（対象発電情報）と、自装置（ユーザ端末装置２００）の管理対象の蓄電池２の充電情報（対象充電情報）との類似度を算出し、管理サーバ１００に送信する。類似度算出方法は、第１乃至第６の実施形態と同様である。認証を要求するユーザ端末装置２００のその他の構成は、第１乃至第７の実施形態と同様である。
【０２３０】
管理サーバ１００は、認証を要求するユーザ端末装置２００から、対象発電情報と対象充電情報との類似度を受信する。また、管理サーバ１００は、他のユーザ端末装置２００から、参照発電情報と対象発電情報との類似度を受信する。そして、管理サーバ１００は、これらの類似度に基づき、認証を要求するユーザ端末装置２００に対する認証処理を行う。管理サーバ１００のその他の構成は、第１乃至第７の実施形態と同様である。
【０２３１】
＜例２＞
他の例として、管理サーバ１００が、対象発電情報と対象充電情報との類似度の算出を行ってもよい。
【０２３２】
この例の場合も、認証を要求するユーザ端末装置２００は、自装置（ユーザ端末装置２００）の管理対象の発電装置１の発電情報（対象発電情報）を他のユーザ端末装置２００に送信する一方で、自装置（ユーザ端末装置２００）の管理対象の蓄電池２の充電情報（対象充電情報）を他のユーザ端末装置２００に送信しない。このため、プライベートな情報（充電情報）が他人に渡る不都合を回避できる。
【０２３３】
この例の場合、認証を要求するユーザ端末装置２００は、自装置（ユーザ端末装置２００）の管理対象の発電装置１の発電情報（対象発電情報）、及び、自装置（ユーザ端末装置２００）の管理対象の蓄電池２の充電情報（対象充電情報）を、管理サーバ１００に送信する。
【０２３４】
管理サーバ１００は、認証を要求するユーザ端末装置２００から、対象発電情報及び対象充電情報を受信すると、それらの類似度を算出する。類似度算出方法は、第１乃至第７の実施形態と同様である。また、管理サーバ１００は、他のユーザ端末装置２００から、参照発電情報と対象発電情報との類似度を受信する。そして、管理サーバ１００は、これらの類似度に基づき、認証を要求するユーザ端末装置２００に対する認証処理を行う。管理サーバ１００のその他の構成は、第１乃至第７の実施形態と同様である。
【０２３５】
以上説明した本実施形態によれば、認証のための類似度の算出を行うユーザ端末装置２００の処理負担を軽減できる。
【０２３６】
また、参照発電情報と対象発電情報との類似度の算出、及び、対象発電情報と対象充電情報との類似度の算出の少なくとも一方を、認証を要求するユーザ端末装置２００と異なる他のユーザ端末装置２００に行わせることができるので、信頼性を確保できる。
【０２３７】
＜＜第９の実施形態＞＞
本実施形態では、類似度算出処理を行ったユーザ端末装置２００に対して、所定のインセンティブを与える。その他の構成は、第１乃至第８の実施形態と同様である。
【０２３８】
図２４に、本実施形態の管理サーバ１００の機能ブロック図の一例を示す。図示するように、管理サーバ１００は、類似度受信部１０１と、認証部１０２と、インセンティブ付与部１０６とを有する。その他、送信先選択部１０３、中継部１０４及び送信先情報送信部１０５の中の少なくとも１つをさらに有してもよい。類似度受信部１０１、認証部１０２、送信先選択部１０３、中継部１０４及び送信先情報送信部１０５の構成は、第１乃至第８の実施形態と同様である。
【０２３９】
インセンティブ付与部１０６は、類似度受信部１０１が類似度を受信すると、それに応じて、当該類似度を送信してきたユーザ端末装置２００に所定のインセンティブを付与する。
【０２４０】
例えば、インセンティブ付与部１０６は、管理サーバ１００が提供する認証サービスの料金の割引クーポンや、その他のクーポンを、ユーザ端末装置２００に送信してもよい。
【０２４１】
以上説明した本実施形態によれば、類似度を算出する処理の負担を負ったユーザ端末装置２００（その発電事業者）に対して、所定のインセンティブを与えることができる。このため、各発電事業者が、進んで類似度を算出する処理を実行することが期待される。結果、本実施形態のシステムの運営が実現可能となる。
【０２４２】
＜＜第１０の実施形態＞＞
本実施形態では、認証のための類似度の算出を行うユーザ端末装置２００は、他のユーザ端末装置２００から受信した発電情報に基づき、自装置（ユーザ端末装置２００）の管理対象の蓄電池２の動作を制御する。その他の構成は、第１乃至第９の実施形態と同様である。
【０２４３】
図２５に、認証のための類似度の算出を行うユーザ端末装置２００の機能ブロック図の一例を示す。図示するように、発電情報取得部２０１と、発電情報受信部２０２と、類似度算出部２０３と、充電情報受信部２０４と、送信部２０５と、蓄電池制御部２０７とを有する。なお、充電情報受信部２０４を有さなくてもよい。
【０２４４】
発電情報取得部２０１、発電情報受信部２０２、類似度算出部２０３、充電情報受信部２０４及び送信部２０５の構成は、第１乃至第９の実施形態と同様である。
【０２４５】
蓄電池制御部２０７は、発電情報受信部２０２が受信した発電情報に基づき、自装置（ユーザ端末装置２００）の管理対象の発電装置１による将来の発電状況を予測する。そして、蓄電池制御部２０７は、予測結果に基づき、自装置（ユーザ端末装置２００）の管理対象の蓄電池２の充放電を制御する。
【０２４６】
例えば、蓄電池制御部２０７は、他のユーザ端末装置２００の管理対象の発電装置１の発電情報（対象発電情報）と、自装置（ユーザ端末装置２００）の管理対象の発電装置１の発電情報（参照発電情報）との間の遅れ時間（図９参照）を算出する。例えば、蓄電池制御部２０７は、互いのデータを所定時間ｔずらして相関係数を算出し、相関係数が最も高くなる所定時間ｔを遅れ時間として算出してもよい。
【０２４７】
そして、蓄電池制御部２０７は、対象発電情報そのものを、自装置（ユーザ端末装置２００）の管理対象の発電装置１の所定時間ｔ後の予測値を示すデータとしてもよい。
【０２４８】
なお、当該例の場合、認証のための類似度の算出を行うユーザ端末装置２００は、例えば風上に位置するユーザ端末装置２００から発電情報（対象発電情報）を受信するのが好ましい。
【０２４９】
例えば、管理サーバ１００の送信先選択部１０３は、当日の日時、季節、天気、風の流れ等を示す情報を取得し（例：所定のサーバから取得）、これらの情報に基づいて、複数のユーザ端末装置２００各々の風下に位置する他のユーザ端末装置２００を特定してもよい。そして、複数のユーザ端末装置２００各々の発電情報の送信先として、風下に位置する他のユーザ端末装置２００を選択してもよい。
【０２５０】
蓄電池制御部２０７は、例えば上述のようにして、自装置（ユーザ端末装置２００）の管理対象の発電装置１による将来の発電状況を予測すると、予測結果に基づき、自装置（ユーザ端末装置２００）の管理対象の蓄電池２の充放電を制御する。
【０２５１】
例えば、蓄電池制御部２０７は、蓄電池２から電力を放電させ（例：所定の負荷に向けて出力）、発電装置１が発電するグリーン電力を充電する空き容量を確保する。蓄電池制御部２０７は、この時の空き容量を、上記予測結果に基づき決定する。例えば、発電装置１によるＸ（ｋＷｈ）の発電が予測されている場合、蓄電池制御部２０７は、蓄電池２内でＸ（ｋＷｈ）分の空き容量を確保する。
【０２５２】
以上説明した本実施形態によれば、第１乃至第９の実施形態と同様な作用効果を実現できる。
【０２５３】
また、本実施形態によれば、類似度を算出する処理の負担を負ったユーザ端末装置２００（その発電事業者）は、他のユーザ端末装置２００から受信した発電情報に基づき、自装置（ユーザ端末装置２００）の管理対象の蓄電池２を適切に制御できる。このため、各発電事業者は、進んで類似度を算出する処理を実行することが期待される。結果、本実施形態のシステムの運営が実現可能となる。
【０２５４】
以下、参考形態の例を付記する。
１．  再生可能エネルギーを利用して発電する発電装置の発電状況を示す発電情報を取得し、管理するユーザ端末装置であって、
自装置の管理対象の前記発電装置に関する前記発電情報を取得する発電情報取得手段と、
他の前記ユーザ端末装置から、前記他のユーザ端末装置の管理対象の前記発電装置に関する前記発電情報を受信する発電情報受信手段と、
前記発電情報取得手段が取得した前記発電情報と、前記発電情報受信手段が受信した前記発電情報との類似度を算出する類似度算出手段と、
を有するユーザ端末装置。
２．  １に記載のユーザ端末装置において、
前記他のユーザ端末装置から、前記他のユーザ端末装置の管理対象の蓄電池の充電状況を示す充電情報を受信する充電情報受信手段をさらに有し、
前記類似度算出手段は、前記発電情報受信手段が受信した前記発電情報と、前記充電情報受信手段が受信した前記充電情報との類似度を算出するユーザ端末装置。
３．  １又は２に記載のユーザ端末装置において、
前記類似度算出手段が算出した類似度を、前記発電装置が発電した電力が前記蓄電池に充電されたことを認証する管理サーバに送信する送信手段をさらに有するユーザ端末装置。
４．  １から３のいずれかに記載のユーザ端末装置において、
前記発電情報受信手段が受信した前記発電情報に基づき、自装置の管理対象の前記発電装置による将来の発電状況を予測し、予測結果に基づき、自装置の管理対象の蓄電池の充放電を制御する蓄電池制御手段をさらに有するユーザ端末装置。
５．  再生可能エネルギーを利用して発電する発電装置の発電状況を示す発電情報を取得し、管理するユーザ端末装置であって、
前記発電装置の発電電力が蓄電池に充電されたことを認証する管理サーバから、前記発電情報を送信する送信先となる他の前記ユーザ端末装置に関する送信先情報を受信する送信先情報受信手段と、
自装置の管理対象の前記発電装置に関する前記発電情報を取得する発電情報取得手段と、
前記発電情報取得手段が取得した前記発電情報を、前記送信先情報で特定される前記他のユーザ端末装置に送信する送信手段と、
を有するユーザ端末装置。
６．  ５に記載のユーザ端末装置において、
前記送信先情報受信手段は、前記送信先となる複数の前記他のユーザ端末装置に関する前記送信先情報を受信し、
複数の前記他のユーザ端末装置の中から１つ又は複数を選択する選択手段をさらに有し、
前記送信手段は、前記選択手段が選択した前記送信先に前記発電情報を送信するユーザ端末装置。
７．  ５に記載のユーザ端末装置において、
前記送信先情報受信手段は、前記送信先となる複数の前記他のユーザ端末装置に関する前記送信先情報を受信し、
前記送信手段は、複数の前記送信先に前記発電情報を送信するユーザ端末装置。
８．  ５から７のいずれかに記載のユーザ端末装置において、
自装置の管理対象の蓄電池の充電状況を示す充電情報を取得する充電情報取得手段をさらに有し、
前記送信手段は、前記充電情報取得手段が取得した前記充電情報を、前記送信先情報で特定される前記他のユーザ端末装置に送信するユーザ端末装置。
９．  ８に記載のユーザ端末装置において、
前記充電情報は、充電状況の時間変化を示し、
前記充電情報取得手段が取得した前記充電情報の中の、認証対象の時間帯を除く部分にデータ内容を改変する改変処理を施す改変手段をさらに有し、
前記送信手段は、前記改変処理が施された前記充電情報を送信するユーザ端末装置。
１０．  再生可能エネルギーを利用して発電する発電装置の発電電力が、蓄電池に充電されたことを認証する管理サーバであって、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段と、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段と、
を有する管理サーバ。
１１．  １０に記載の管理サーバにおいて、
前記認証手段は、前記第１のユーザ端末装置から受信した類似度に基づき、前記第１のユーザ端末装置の管理対象の前記発電装置の発電電力が、前記第１のユーザ端末装置の管理対象の前記蓄電池に充電されたことをさらに認証する管理サーバ。
１２．  １０に記載の管理サーバにおいて、
前記類似度受信手段は、前記第１のユーザ端末装置から、前記第２のユーザ端末装置の管理対象の前記発電装置の発電状況を示す前記発電情報と、前記第２のユーザ端末装置の管理対象の蓄電池の充電状況を示す充電情報との類似度をさらに受信する管理サーバ。
１３．  １０から１２のいずれかに記載の管理サーバにおいて、
前記ユーザ端末装置毎に、前記発電情報の送信先となる他の前記ユーザ端末装置を選択する送信先選択手段と、
複数の前記ユーザ端末装置各々から前記発電情報を受信すると、前記ユーザ端末装置各々に対応して送信先として選択された他の前記ユーザ端末装置に送信する中継手段をさらに有する管理サーバ。
１４．  １０から１２のいずれかに記載の管理サーバにおいて、
前記ユーザ端末装置毎に、前記発電情報の送信先となる他の前記ユーザ端末装置を選択する送信先選択手段と、
複数の前記ユーザ端末装置各々に、前記送信先として選択された前記ユーザ端末装置を示す送信先情報を送信する送信先情報送信手段と、
をさらに有する管理サーバ。
１５．  １４に記載の管理サーバにおいて、
前記送信先選択手段は、前記ユーザ端末装置毎に、複数の他の前記ユーザ端末装置を前記送信先として選択し、
前記送信先情報送信手段は、前記送信先として選択された複数の前記ユーザ端末装置を示す前記送信先情報を送信する管理サーバ。
１６．  １３から１５のいずれかに記載の管理サーバにおいて、
前記送信先選択手段は、前記ユーザ端末装置各々の前記送信先を定期的に変更する管理サーバ。
１７．  １３から１５のいずれかに記載の管理サーバにおいて、
前記送信先選択手段は、複数の前記ユーザ端末装置各々の設置位置に基づき、前記ユーザ端末装置各々の前記送信先を選択する管理サーバ。
１８．  １３から１７のいずれかに記載の管理サーバにおいて、
前記類似度受信手段が類似度を受信すると、それに応じて、当該類似度を送信してきた前記第１のユーザ端末装置に所定のインセンティブを付与するインセンティブ付与手段をさらに有する管理サーバ。
１９．  １から４のいずれかに記載のユーザ端末装置と、
５から９のいずれかに記載のユーザ端末装置と、
１０から１８のいずれかに記載の管理サーバと、
を有する管理システム。
２０．  再生可能エネルギーを利用して発電する発電装置の発電状況を示す発電情報を取得し、管理するユーザ端末装置が、
自装置の管理対象の前記発電装置に関する前記発電情報を取得する発電情報取得工程と、
他の前記ユーザ端末装置から、前記他のユーザ端末装置の管理対象の前記発電装置に関する前記発電情報を受信する発電情報受信工程と、
前記発電情報取得工程で取得した前記発電情報と、前記発電情報受信工程で受信した前記発電情報との類似度を算出する類似度算出工程と、
を実行するユーザ端末装置の動作方法。
２１．  再生可能エネルギーを利用して発電する発電装置の発電状況を示す発電情報を取得し、管理するユーザ端末装置を、
自装置の管理対象の前記発電装置に関する前記発電情報を取得する発電情報取得手段、
他の前記ユーザ端末装置から、前記他のユーザ端末装置の管理対象の前記発電装置に関する前記発電情報を受信する発電情報受信手段、
前記発電情報取得手段が取得した前記発電情報と、前記発電情報受信手段が受信した前記発電情報との類似度を算出する類似度算出手段、
として機能させるプログラム。
２２．  再生可能エネルギーを利用して発電する発電装置の発電状況を示す発電情報を取得し、管理するユーザ端末装置が、
前記発電装置の発電電力が蓄電池に充電されたことを認証する管理サーバから、前記発電情報を送信する送信先となる他の前記ユーザ端末装置に関する送信先情報を受信する送信先情報受信工程と、
自装置の管理対象の前記発電装置に関する前記発電情報を取得する発電情報取得工程と、
前記発電情報取得工程で取得した前記発電情報を、前記送信先情報で特定される前記他のユーザ端末装置に送信する送信工程と、
を実行するユーザ端末装置の動作方法。
２３．  再生可能エネルギーを利用して発電する発電装置の発電状況を示す発電情報を取得し、管理するユーザ端末装置を、
前記発電装置の発電電力が蓄電池に充電されたことを認証する管理サーバから、前記発電情報を送信する送信先となる他の前記ユーザ端末装置に関する送信先情報を受信する送信先情報受信手段、
自装置の管理対象の前記発電装置に関する前記発電情報を取得する発電情報取得手段、
前記発電情報取得手段が取得した前記発電情報を、前記送信先情報で特定される前記他のユーザ端末装置に送信する送信手段、
として機能させるプログラム。
２４．  再生可能エネルギーを利用して発電する発電装置の発電電力が、蓄電池に充電されたことを認証する管理サーバが、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信工程と、
前記類似度受信工程で受信した前記類似度に基づき、前記第２のユーザ端末装置の管理対象の前記発電装置の発電電力が、前記第２のユーザ端末装置の管理対象の前記蓄電池に充電されたことを認証する認証工程と、
を実行する管理サーバの動作方法。
２５．  再生可能エネルギーを利用して発電する発電装置の発電電力が、蓄電池に充電されたことを認証する管理サーバを、
第１のユーザ端末装置から、第２のユーザ端末装置の管理対象の前記発電装置の発電状況を示す発電情報と、前記第１のユーザ端末装置の管理対象の前記発電装置に関する前記発電情報との類似度を受信する類似度受信手段、
前記類似度受信手段が受信した前記類似度に基づき、前記第２のユーザ端末装置の管理対象の前記発電装置の発電電力が、前記第２のユーザ端末装置の管理対象の前記蓄電池に充電されたことを認証する認証手段、
として機能させるプログラム。
【符号の説明】
【０２５５】
１Ａ    プロセッサ
２Ａ    メモリ
３Ａ    入出力Ｉ／Ｆ
４Ａ    周辺回路
５Ａ    バス
１      発電装置
２      蓄電池
３      分電盤
４      測定装置
５      情報収集装置
６      ネットワーク
７      センサー
１００  管理サーバ
１０１  類似度受信部
１０２  認証部
１０３  送信先選択部
１０４  中継部
１０５  送信先情報送信部
１０６  インセンティブ付与部
２００  ユーザ端末装置
２０１  発電情報取得部
２０２  発電情報受信部
２０３  類似度算出部
２０４  充電情報受信部
２０５  送信部
２０７  蓄電池制御部
２０８  送信先情報受信部
２０９  選択部
２１０  充電情報取得部
２１１  改変部
【図１】
2017153183.tif 000003
【図２】
2017153183.tif 000004
【図３】
2017153183.tif 000005
【図４】
2017153183.tif 000006
【図５】
2017153183.tif 000007
【図６】
2017153183.tif 000008
【図７】
2017153183.tif 000009
【図８】
2017153183.tif 000010
【図９】
2017153183.tif 000011
【図１０】
2017153183.tif 000012
【図１１】
2017153183.tif 000013
【図１２】
2017153183.tif 000014
【図１３】
2017153183.tif 000015
【図１４】
2017153183.tif 000016
【図１５】
2017153183.tif 000017
【図１６】
2017153183.tif 000018
【図１７】
2017153183.tif 000019
【図１８】
2017153183.tif 000020
【図１９】
2017153183.tif 000021
【図２０】
2017153183.tif 000022
【図２１】
2017153183.tif 000023
【図２２】
2017153183.tif 000024
【図２３】
2017153183.tif 000025
【図２４】
2017153183.tif 000026
【図２５】
2017153183.tif 000027